(57)【要約】  無線通信環境においてＶＰＬＭＮ自律ＣＳＧローミングのサポートを容易にするシステム及び方法が説明される。ＵＥは、ＶＰＬＭＮに関連付けられたＣＳＧリストサーバにアクセスし得る。例えば、ＵＥとＣＳＧリストサーバとの間で信頼関係が確立され得る。更に、ＣＳＧリストサーバは、ＵＥによって記憶されＶＰＬＭＮに関連付けられたＶＰＬＭＮ許可ＣＳＧリストを更新し得る。従って、ＵＥは、ＶＰＬＭＮに関連付けられたＣＳＧリストサーバからＶＰＬＭＮ許可ＣＳＧリストを受信し得る。更に、ＵＥは、許可ＣＳＧリストの一部分としてＶＰＬＭＮ許可ＣＳＧリストを記憶し得る。ＶＰＬＭＮ許可ＣＳＧリストは、ＶＰＬＭＮに関連付けられた１つ又は複数のエントリを含み得る。更に、許可ＣＳＧリストは、少なくとも１つのオペレータ及びＵＥの制御のもとにあり得る。
2012531826.tif 000002
【特許請求の範囲】
【請求項１】
訪問先公衆陸上モバイルネットワーク（ＶＰＬＭＮ）に関連付けられた閉鎖加入者グループ（ＣＳＧ）リストサーバにアクセスすることと、
前記ＶＰＬＭＮに関連付けられた前記ＣＳＧリストサーバからＶＰＬＭＮ許可ＣＳＧリストを受信することと、
ユーザ機器（ＵＥ）において許可ＣＳＧリストの一部分として前記ＶＰＬＭＮ許可ＣＳＧリストを記憶し、前記ＵＥを前記ＶＰＬＭＮの中に供給することと、ここで前記ＶＰＬＭＮ許可ＣＳＧリストは、前記ＶＰＬＭＮに関連付けられた１つ又は複数のエントリを備え、前記許可ＣＳＧリストは、少なくとも１つのオペレータ及び前記ＵＥの制御のもとにあることと、
を備える方法。
【請求項２】
前記ＵＥが前記ＶＰＬＭＮの基地局へ接続されたとき、前記ＶＰＬＭＮに関連付けられた前記ＣＳＧリストサーバにアクセスすることを更に備える、請求項１に記載の方法。
【請求項３】
前記ＵＥがホーム公衆陸上モバイルネットワーク（ＨＰＬＭＮ）の基地局へ接続されたとき、前記ＶＰＬＭＮに関連付けられた前記ＣＳＧリストサーバにアクセスすることを更に備える、請求項１に記載の方法。
【請求項４】
開放モバイル同盟デバイス管理（ＯＭＡ  ＤＭ）手順を介して、前記ＶＰＬＭＮに関連付けられた前記ＣＳＧリストサーバから前記ＶＰＬＭＮ許可ＣＳＧリストを受信することを更に備える、請求項１に記載の方法。
【請求項５】
前記ＶＰＬＭＮに関連付けられた前記ＣＳＧリストサーバとの信頼関係を確立することを更に備える、請求項１に記載の方法。
【請求項６】
一般ブートストラップアーキテクチャ（ＧＢＡ）手順を使用して、前記ＶＰＬＭＮに関連付けられた前記ＣＳＧリストサーバとの前記信頼関係を確立することを更に備える、請求項５に記載の方法。
【請求項７】
公開鍵暗号化標準（ＰＫＣＳ）証明書に基づくメカニズムを使用して、前記ＶＰＬＭＮに関連付けられた前記ＣＳＧリストサーバとの前記信頼関係を確立することを更に備える、請求項５に記載の方法。
【請求項８】
前記ＣＳＧリストサーバとのネゴシエーションを介して、前記ＶＰＬＭＮに関連付けられた前記ＣＳＧリストサーバとの前記信頼関係を確立するために利用される手法を選択することを更に備える、請求項５に記載の方法。
【請求項９】
公衆陸上モバイルネットワーク（ＰＬＭＮ）特定完全記述ドメイン名（ＦＱＤＮ）に基づき、前記ＶＰＬＭＮに関連付けられた前記ＣＳＧリストサーバのアイデンティティを決定することを更に備える、請求項１に記載の方法。
【請求項１０】
前記ＶＰＬＭＮに関連付けられた前記ＣＳＧリストサーバのアイデンティティの関数として、前記許可ＣＳＧリストのエントリを更新するかどうかを選択することを更に備える、請求項１に記載の方法。
【請求項１１】
前記ＶＰＬＭＮ許可ＣＳＧリストを受信したとき、前記ＣＳＧリストサーバに関連付けられた前記ＶＰＬＭＮの前記許可ＣＳＧリストのエントリを更新することを更に備える、請求項１に記載の方法。
【請求項１２】
ホーム公衆陸上モバイルネットワーク（ＨＰＬＭＮ）が、前記ＶＰＬＭＮの前記許可ＣＳＧリストのエントリを更新する、請求項１に記載の方法。
【請求項１３】
前記許可ＣＳＧリストの前記ＶＰＬＭＮに関連付けられた前記１つ又は複数のエントリは、前記ＵＥ、前記ＶＰＬＭＮに関連付けられた訪問先オペレータ、及びホームオペレータの制御のもとにある、請求項１に記載の方法。
【請求項１４】
前記許可ＣＳＧリストの前記ＶＰＬＭＮ以外の異種の公衆陸上モバイルネットワーク（ＰＬＭＮ）に関連付けられた異種の１つ又は複数のエントリが、前記ＶＰＬＭＮに関連付けられた訪問先オペレータによる更新を禁止される、請求項１に記載の方法。
【請求項１５】
前記許可ＣＳＧリストは、公衆陸上モバイルネットワーク（ＰＬＭＮ）識別子、ＣＳＧ識別子、ホームノードＢ名、又はＣＳＧタイプの１つ又は複数を含む、請求項１に記載の方法。
【請求項１６】
少なくとも１つのプロセッサを備える無線通信装置であって、
前記少なくとも１つのプロセッサは、
訪問先公衆陸上モバイルネットワーク（ＶＰＬＭＮ）に関連付けられた閉鎖加入者グループ（ＣＳＧ）リストサーバにアクセスする、
前記ＶＰＬＭＮに関連付けられた前記ＣＳＧリストサーバからＶＰＬＭＮ許可ＣＳＧリストを受信する、
ユーザ機器（ＵＥ）において許可ＣＳＧリストの一部分として前記ＶＰＬＭＮ許可ＣＳＧリストを記憶し、前記ＵＥを前記ＶＰＬＭＮの中に供給する、
ように構成され、
前記ＶＰＬＭＮ許可ＣＳＧリストは、前記ＶＰＬＭＮに関連付けられた１つ又は複数のエントリを備え、前記許可ＣＳＧリストは、少なくとも１つのオペレータ及び前記ＵＥの制御のもとにある、無線通信装置。
【請求項１７】
前記ＵＥが前記ＶＰＬＭＮの基地局へ接続されたとき、前記ＶＰＬＭＮに関連付けられた前記ＣＳＧリストサーバにアクセスする、
ように構成された少なくとも１つのプロセッサを更に備える、請求項１６に記載の無線通信装置。
【請求項１８】
前記ＵＥがホーム公衆陸上モバイルネットワーク（ＨＰＬＭＮ）の基地局へ接続されたとき、前記ＶＰＬＭＮに関連付けられた前記ＣＳＧリストサーバにアクセスする、
ように構成された少なくとも１つのプロセッサを更に備える、請求項１６に記載の無線通信装置。
【請求項１９】
開放モバイル同盟デバイス管理（ＯＭＡ  ＤＭ）手順を介して、前記ＶＰＬＭＮに関連付けられた前記ＣＳＧリストサーバから前記ＶＰＬＭＮ許可ＣＳＧリストを受信する、
ように構成された少なくとも１つのプロセッサを更に備える、請求項１６に記載の無線通信装置。
【請求項２０】
前記ＶＰＬＭＮに関連付けられた前記ＣＳＧリストサーバとの信頼関係を確立する、
ように構成された少なくとも１つのプロセッサを更に備える、請求項１６に記載の無線通信装置。
【請求項２１】
一般ブートストラップアーキテクチャ（ＧＢＡ）手順又は公開鍵暗号化標準（ＰＫＣＳ）証明書に基づくメカニズムの少なくとも１つを使用して、前記ＶＰＬＭＮに関連付けられた前記ＣＳＧリストサーバとの前記信頼関係を確立する、
ように構成された少なくとも１つのプロセッサを更に備える、請求項２０に記載の無線通信装置。
【請求項２２】
前記ＣＳＧリストサーバとのネゴシエーションを介して、前記ＶＰＬＭＮに関連付けられた前記ＣＳＧリストサーバとの前記信頼関係を確立するために利用される手法を選択する、
ように構成された少なくとも１つのプロセッサを更に備える、請求項２０に記載の無線通信装置。
【請求項２３】
公衆陸上モバイルネットワーク（ＰＬＭＮ）特定完全記述ドメイン名（ＦＱＤＮ）に基づき、前記ＶＰＬＭＮに関連付けられた前記ＣＳＧリストサーバのアイデンティティを決定する、
ように構成された少なくとも１つのプロセッサを更に備える、請求項１６に記載の無線通信装置。
【請求項２４】
前記ＶＰＬＭＮに関連付けられた前記ＣＳＧリストサーバのアイデンティティの関数として、前記許可ＣＳＧリストのエントリを更新するかどうかを選択する、
ように構成された少なくとも１つのプロセッサを更に備える、請求項１６に記載の無線通信装置。
【請求項２５】
前記ＶＰＬＭＮ許可ＣＳＧリストを受信したとき、前記ＣＳＧリストサーバに関連付けられた前記ＶＰＬＭＮの前記許可ＣＳＧリストのエントリを更新する、
ように構成された少なくとも１つのプロセッサを更に備える、請求項１６に記載の無線通信装置。
【請求項２６】
ホーム公衆陸上モバイルネットワーク（ＨＰＬＭＮ）が、前記ＶＰＬＭＮの前記許可ＣＳＧリストのエントリを更新する、請求項１６に記載の無線通信装置。
【請求項２７】
前記許可ＣＳＧリストの前記ＶＰＬＭＮに関連付けられた前記１つ又は複数のエントリは、前記ＵＥ、前記ＶＰＬＭＮに関連付けられた訪問先オペレータ、及びホームオペレータの制御のもとにある、請求項１６に記載の無線通信装置。
【請求項２８】
前記許可ＣＳＧリストの前記ＶＰＬＭＮ以外の異種の公衆陸上モバイルネットワーク（ＰＬＭＮ）に関連付けられた異種の１つ又は複数のエントリが、前記ＶＰＬＭＮに関連付けられた訪問先オペレータによる更新を禁止される、請求項１６に記載の無線通信装置。
【請求項２９】
訪問先公衆陸上モバイルネットワーク（ＶＰＬＭＮ）に関連付けられた閉鎖加入者グループ（ＣＳＧ）リストサーバにアクセスする手段と、
前記ＶＰＬＭＮに関連付けられた前記ＣＳＧリストサーバからＶＰＬＭＮ許可ＣＳＧリストを受信する手段と、
ユーザ機器（ＵＥ）において許可ＣＳＧリストの一部分として前記ＶＰＬＭＮ許可ＣＳＧリストを記憶し、前記ＵＥを前記ＶＰＬＭＮの中に供給する手段と、ここで前記ＶＰＬＭＮ許可ＣＳＧリストは、前記ＶＰＬＭＮに関連付けられた１つ又は複数のエントリを備え、前記許可ＣＳＧリストは、少なくとも１つのオペレータ及び前記ＵＥの制御のもとにあることと、
を備える装置。
【請求項３０】
前記ＶＰＬＭＮに関連付けられた前記ＣＳＧリストサーバのアイデンティティを決定する手段を更に備える、請求項２９に記載の装置。
【請求項３１】
前記ＶＰＬＭＮに関連付けられた前記ＣＳＧリストのアイデンティティの関数として、前記許可ＣＳＧリストのエントリを更新するかどうかを選択する手段を更に備える、請求項２９に記載の装置。
【請求項３２】
ホーム公衆陸上モバイルネットワーク（ＨＰＬＭＮ）が、前記ＶＰＬＭＮの前記許可ＣＳＧリストのエントリを更新する、請求項２９に記載の装置。
【請求項３３】
前記許可ＣＳＧリストの前記ＶＰＬＭＮに関連付けられた前記１つ又は複数のエントリは、前記ＵＥ、前記ＶＰＬＭＮに関連付けられた訪問先オペレータ、及びホームオペレータの制御のもとにある、請求項２９に記載の装置。
【請求項３４】
前記許可ＣＳＧリストの前記ＶＰＬＭＮ以外の異種の公衆陸上モバイルネットワーク（ＰＬＭＮ）に関連付けられた異種の１つ又は複数のエントリが、前記ＶＰＬＭＮに関連付けられた訪問先オペレータによる更新を禁止される、請求項２９に記載の装置。
【請求項３５】
コンピュータ読み取り可能メディアを備えるコンピュータ・プログラム・プロダクトであって、前記コンピュータ読み取り可能メディアは、
少なくとも１つのコンピュータが、訪問先公衆陸上モバイルネットワーク（ＶＰＬＭＮ）に関連付けられた閉鎖加入者グループ（ＣＳＧ）リストサーバにアクセスすることを引き起こすコードと、
少なくとも１つのコンピュータが、前記ＶＰＬＭＮに関連付けられたＣＳＧリストサーバからＶＰＬＭＮ許可ＣＳＧリストを受信することを引き起こすコードと、
少なくとも１つのコンピュータが、ユーザ機器（ＵＥ）において前記ＶＰＬＭＮ許可ＣＳＧリストを許可ＣＳＧリストの一部分として記憶し、前記ＵＥを前記ＶＰＬＭＮの中に供給するコードと、ここで前記ＶＰＬＭＮ許可ＣＳＧリストは、前記ＶＰＬＭＮに関連付けられた１つ又は複数のエントリを備え、前記許可ＣＳＧリストは、少なくとも１つのオペレータ及び前記ＵＥの制御のもとにあることと、
を備えるコンピュータ・プログラム・プロダクト。
【請求項３６】
前記コンピュータ読み取り可能メディアは、少なくとも１つのコンピュータが、前記ＶＰＬＭＮに関連付けられた前記ＣＳＧリストサーバのアイデンティティを決定することを引き起こすコードを更に備える、請求項３５に記載のコンピュータ・プログラム・プロダクト。
【請求項３７】
前記コンピュータ読み取り可能メディアは、少なくとも１つのコンピュータが、前記ＶＰＬＭＮに関連付けられた前記ＣＳＧリストサーバのアイデンティティの関数として、前記許可ＣＳＧリストのエントリを更新するかどうかを選択することを引き起こすコードを更に備える、請求項３５に記載のコンピュータ・プログラム・プロダクト。
【請求項３８】
訪問先公衆陸上モバイルネットワーク（ＶＰＬＭＮ）に関連付けられた閉鎖加入者グループ（ＣＳＧ）リストサーバにアクセスするアクセスコンポーネントと、
前記ＶＰＬＭＮに関連付けられた前記ＣＳＧリストサーバからＶＰＬＭＮ許可ＣＳＧリストを受信し、ユーザ機器（ＵＥ）において前記ＶＰＬＭＮ許可ＣＳＧリストを許可ＣＳＧリストの一部分として記憶し、前記ＵＥを前記ＶＰＬＭＮの中に供給するリスト管理コンポーネントと、ここで前記ＶＰＬＭＮ許可ＣＳＧリストは、前記ＶＰＬＭＮに関連付けられた１つ又は複数のエントリを備え、前記許可ＣＳＧリストは、少なくとも１つのオペレータ及び前記ＵＥの制御のもとにあることと、
を備える装置。
【請求項３９】
前記リスト管理コンポーネントは、前記ＶＰＬＭＮに関連付けられた前記ＣＳＧリストサーバのアイデンティティの関数として、前記許可ＣＳＧリストのエントリを更新するかどうかを選択する、請求項３８に記載の装置。
【請求項４０】
異なる公衆陸上モバイルネットワーク（ＰＬＭＮ）に関連付けられたユーザ機器（ＵＥ）との信頼関係を確立することと、
前記ＵＥによって記憶されＶＰＬＭＮに関連付けられた訪問先公衆陸上モバイルネットワーク（ＶＰＬＭＮ）許可閉鎖加入者グループ（ＣＳＧ）リストを更新することと、ここで前記ＶＰＬＭＮ許可ＣＳＧリストは、少なくとも１つのオペレータ及び前記ＵＥの制御のもとにある許可ＣＳＧリストの一部分であることと、
を備える方法。
【請求項４１】
前記ＶＰＬＭＮ許可ＣＳＧリストは、前記ＶＰＬＭＮに関連付けられた１つ又は複数のエントリを備える、請求項４０に記載の方法。
【請求項４２】
前記ＵＥが前記ＶＰＬＭＮの基地局へ接続されたとき前記ＵＥとの前記信頼関係を確立することを更に備える、請求項４０に記載の方法。
【請求項４３】
前記ＵＥがホーム公衆陸上モバイルネットワーク（ＨＰＬＭＮ）の基地局へ接続されたとき前記ＵＥとの前記信頼関係を確立することを更に備える、請求項４０に記載の方法。
【請求項４４】
開放モバイル同盟デバイス管理（ＯＭＡ  ＤＭ）手順を使用して、前記ＶＰＬＭＮに関連付けられた前記ＶＰＬＭＮ許可ＣＳＧリストを前記ＵＥへ送信することを更に備える、請求項４０に記載の方法。
【請求項４５】
前記信頼関係は、一般ブートストラップアーキテクチャ（ＧＢＡ）手順を使用して前記ＵＥに対して確立される、請求項４０に記載の方法。
【請求項４６】
前記信頼関係は、公開鍵暗号化標準（ＰＫＣＳ）証明書に基づくメカニズムを使用して前記ＵＥに対して確立される、請求項４０に記載の方法。
【請求項４７】
前記ＵＥとのネゴシエーションを介して、前記ＵＥとの前記信頼関係を確立するために利用される手法を選択することを更に備える、請求項４０に記載の方法。
【請求項４８】
前記ＶＰＬＭＮの前記許可ＣＳＧリストのエントリを更新することを更に備える、請求項４０に記載の方法。
【請求項４９】
ホーム公衆陸上モバイルネットワーク（ＨＰＬＭＮ）が、前記ＶＰＬＭＮの前記許可ＣＳＧリストのエントリを更新する、請求項４０に記載の方法。
【請求項５０】
前記許可ＣＳＧリストの前記ＶＰＬＭＮに関連付けられた１つ又は複数のエントリは、前記ＵＥ、前記ＶＰＬＭＮに関連付けられた訪問先オペレータ、及びホームオペレータの制御のもとにある、請求項４０に記載の方法。
【請求項５１】
前記許可ＣＳＧリストの前記ＶＰＬＭＮ以外の異種のＰＬＭＮに関連付けられた１つ又は複数のエントリは、前記ＶＰＬＭＮに関連付けられた訪問先オペレータによる更新を禁止される、請求項４０に記載の方法。
【請求項５２】
前記許可ＣＳＧリストは、ＰＬＭＮ識別子、ＣＳＧ識別子、ホームノードＢ名、又はＣＳＧタイプの１つ又は複数を含む、請求項４０に記載の方法。
【請求項５３】
少なくとも１つのプロセッサを備える無線通信装置であって、前記少なくとも１つのプロセッサは、
異なる公衆陸上モバイルネットワーク（ＰＬＭＮ）に関連付けられたユーザ機器（ＵＥ）との信頼関係を確立する、
前記ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する、
ように構成され、
前記ＶＰＬＭＮ許可ＣＳＧリストは、少なくとも１つのオペレータ及び前記ＵＥの制御のもとにある許可ＣＳＧリストの一部分である、無線通信装置。
【請求項５４】
少なくとも１つのプロセッサを更に備え、前記少なくとも１つのプロセッサは、
開放モバイル同盟デバイス管理（ＯＭＡ  ＤＭ）手順を使用して、前記ＶＰＬＭＮに関連付けられた前記ＶＰＬＭＮ許可ＣＳＧリストを前記ＵＥへ送信する、
ように構成された、請求項５３に記載の無線通信装置。
【請求項５５】
少なくとも１つのプロセッサを更に備え、前記少なくとも１つのプロセッサは、
前記ＶＰＬＭＮの前記許可ＣＳＧリストのエントリを更新する、
ように構成された、請求項５３に記載の無線通信装置。
【請求項５６】
ホーム公衆陸上モバイルネットワーク（ＨＰＬＭＮ）が、前記ＶＰＬＭＮの前記許可ＣＳＧリストのエントリを更新する、請求項５３に記載の無線通信装置。
【請求項５７】
前記許可ＣＳＧリストの前記ＶＰＬＭＮに関連付けられた１つ又は複数のエントリが、前記ＵＥ、前記ＶＰＬＭＮに関連付けられた訪問先オペレータ、及びホームオペレータの制御のもとにある、請求項５３に記載の無線通信装置。
【請求項５８】
前記許可ＣＳＧリストの前記ＶＰＬＭＮ以外の異種のＰＬＭＮに関連付けられた１つ又は複数のエントリが、前記ＶＰＬＭＮに関連付けられた訪問先オペレータによる更新を禁止される、請求項５３に記載の無線通信装置。
【請求項５９】
異なる公衆陸上モバイルネットワーク（ＰＬＭＮ）に関連付けられたユーザ機器（ＵＥ）との信頼関係を確立する手段と、
前記ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する手段と、ここで前記ＶＰＬＭＮ許可ＣＳＧリストは、少なくとも１つのオペレータ及び前記ＵＥの制御のもとにある許可ＣＳＧリストの一部分であることと、
を備える装置。
【請求項６０】
開放モバイル同盟デバイス管理（ＯＭＡ  ＤＭ）手順を使用して、前記ＶＰＬＭＮに関連付けられた前記ＶＰＬＭＮ許可ＣＳＧリストを前記ＵＥへ送信する手段を更に備える、請求項５９に記載の装置。
【請求項６１】
ＶＰＬＭＮの前記許可ＣＳＧリストのエントリを更新する手段を更に備える、請求項５９に記載の装置。
【請求項６２】
コンピュータ読み取り可能メディアを備えるコンピュータ・プログラム・プロダクトであって、前記コンピュータ読み取り可能メディアは、
少なくとも１つのコンピュータが、異なる公衆陸上モバイルネットワーク（ＰＬＭＮ）に関連付けられたユーザ機器（ＵＥ）との信頼関係を確立することを引き起こすコードと、
少なくとも１つのコンピュータが、前記ＵＥによって記憶されＶＰＬＭＮに関連付けられた訪問先公衆陸上モバイルネットワーク（ＶＰＬＭＮ）許可閉鎖加入者グループ（ＣＳＧ）リストを更新することを引き起こすコードと、ここで前記ＶＰＬＭＮ許可ＣＳＧリストは、少なくとも１つのオペレータ及び前記ＵＥの制御のもとにある許可ＣＳＧリストの一部分であることと、
を備えるコンピュータ・プログラム・プロダクト。
【請求項６３】
前記コンピュータ読み取り可能メディアは、少なくとも１つのコンピュータが、開放モバイル同盟デバイス管理（ＯＭＡ  ＤＭ）手順を使用して、前記ＶＰＬＭＮに関連付けられた前記ＶＰＬＭＮ許可ＣＳＧリストを前記ＵＥへ送信することを引き起こすコードを更に備える、請求項６２に記載のコンピュータ・プログラム・プロダクト。
【請求項６４】
異なる公衆陸上モバイルネットワーク（ＰＬＭＮ）に関連付けられたユーザ機器（ＵＥ）との信頼関係を確立する初期化コンポーネントと、
前記ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する更新コンポーネントと、ここで前記ＶＰＬＭＮ許可ＣＳＧリストは、少なくとも１つのオペレータ及び前記ＵＥの制御のもとにある許可ＣＳＧリストの一部分であることと、
を備える装置。
【請求項６５】
前記更新コンポーネントは、開放モバイル同盟デバイス管理（ＯＭＡ  ＤＭ）手順を使用して、前記ＶＰＬＭＮに関連付けられた前記ＶＰＬＭＮ許可ＣＳＧリストを前記ＵＥへ送信する、請求項６４に記載の装置。
【発明の詳細な説明】
【優先権の主張】
【０００１】
３５Ｕ．Ｓ．Ｇ．§１１９のもとでの優先権主張
本特許出願は、２００９年６月２５日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／２２０，５３６号、２００９年７月６日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／２２３，３４２号、２００９年７月１７日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／２２６，５２０号、２００９年９月２４日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／２４５，６１６号、２００９年１０月２２日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／２５４，１５０号、及び２０１０年２月８日に出願された「オペレータＣＳＧリスト及びＶＰＬＭＮ自律ＣＳＧローミングの管理」（MANAGEMENT OF OPERATOR CSG LIST AND VPLMN-AUTONOMOUS CSG ROAMING）と題する仮出願第６１／３０２，４２６号への優先権を主張する。これらの仮出願は、本願の譲受人へ譲渡されており、参照によって、ここで明白に本願の中に組み入れられる。
【技術分野】
【０００２】
この後の説明は、一般的に無線通信に関し、更に具体的には、無線通信環境における訪問先公衆陸上モバイルネットワーク（VPLMN）自律閉鎖加入者グループ（ＣＳＧ）ローミングのサポートに関する。
【背景技術】
【０００３】
無線通信システムは広く展開されており、様々なタイプの通信内容、例えば、音声、データ、などを提供している。典型的な無線通信システムは、利用可能なシステムリソース（例えば、帯域幅、送信電力、．．．）を共有することによって複数のユーザとの通信をサポートし得る多元接続システムである。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、などを含む。追加的に、システムは、仕様、例えば、第３世代パートナーシッププロジェクト（３ＧＰＰ）、３ＧＰＰ長期発展（ＬＴＥ）、超モバイル広帯域（ＵＭＢ）、及び／又はマルチキャリヤ無線仕様、例えば、発展データ最適化（ＥＶ−ＤＯ）、これらの１つ又は複数の改定、などに順応し得る。
【０００４】
一般的に、無線多元接続通信システムは、複数のユーザ機器（ＵＥ）の通信を同時にサポートする。各ＵＥは、順方向及び逆方向リンクでの伝送によって１つ又は複数の基地局と通信し得る。順方向リンク（又はダウンリンク）は基地局からＵＥへの通信リンクを意味し、逆方向リンク（又はアップリンク）はＵＥから基地局への通信リンクを意味する。更に、ＵＥと基地局との間の通信は、単一入力単一出力（ＳＩＳＯ）システム、複数入力単一出力（ＭＩＳＯ）システム、複数入力複数出力（ＭＩＭＯ）システム、などを介して確立され得る。追加的に、ピアツーピア無線ネットワーク構成において、ＵＥは他のＵＥと通信し得る（及び／又は、基地局は他の基地局と通信し得る）。
【０００５】
通常、混成無線通信システムは様々なタイプの基地局を含み得る。基地局の各々は、異なるセルサイズを関連付けられ得る。例えば、マクロセル基地局は、典型的には、柱、屋根、他の既存の構造物、などの上に設置されたアンテナを利用する。更に、マクロセル基地局は、しばしば数１０ワット程度の電力出力を有し、大きなエリアのカバレージを提供し得る。フェムトセル基地局は他の等級の基地局であって、最近出現した基地局である。通常、フェムトセル基地局は住居又は小規模ビジネス環境用に設計され、ＵＥ及びバックホール用の既存の広帯域インターネット接続（例えば、ディジタル加入者線（ＤＳＬ）、ケーブル、．．．）と通信する無線技術（例えば、３ＧＰＰ全世界モバイル電気通信システム（ＵＭＴＳ）又は長期発展（ＬＴＥ）、１ｘ発展データ最適化（１ｘＥＶ−ＤＯ）、．．．）を使用するＵＥへ無線カバレージを提供し得る。フェムトセル基地局は、ホーム発展ノードＢ（ＨｅＮＢ）、ホームノードＢ（ＨＮＢ）、フェムトセル、などと呼ばれる。他のタイプの基地局の例は、ピコセル基地局、マイクロセル基地局、などを含む。
【０００６】
幾つかのシナリオにおいて、幾つかのフェムトセル基地局又はネットワーク内の他の基地局は、アクセスを或る程度制限される場合がある。例えば、ネットワーク内の異なる基地局は、異なる閉鎖加入者グループ（ＣＳＧ）に所属し得る。更に、ＵＥは、或る形式のリスト（例えば、ホワイトリスト、．．．）を使用して、ＵＥがアクセスを許される基地局を識別し得る。リストは、多くの場合、ネットワークによって供給される。
【０００７】
公衆陸上モバイルネットワーク（ＰＬＭＮ）は、オペレータによって確立及び運用されるネットワークであり得る。様々な状況において、ＵＥはローミングし得る。この場合、ＵＥは、直接加入しているＰＬＭＮ以外の訪問先公衆陸上モバイルネットワーク（ＶＰＬＭＮ）へ接続し得る。更に、ＵＥが直接加入しているＰＬＭＮは、ホーム公衆陸上ネットワーク（ＨＰＬＭＮ）と呼ばれる。従来のアプローチは、典型的には、ＵＥがＶＰＬＭＮへ接続するとき、ＵＥがアクセスを許される基地局を識別するために使用されるリストを、どのように供給するかに関して対処し得ない。
【発明の概要】
【０００８】
これから、１つ又は複数の態様の簡単な概要を提示する。それは、このような態様の基本的理解を提供するためである。この概要は、全ての想定される態様を広範囲に概観するものではなく、また全ての態様の主要又は重要な要素を指摘する意図を有するものでもなく、いずれか又は全ての態様の範囲を線引きすることを意図するものでもない。唯一の目的は、この後で提示される一層詳細な説明の前書きとして、１つ又は複数の態様の幾つかのコンセプトを簡単な形で提示することである。
【０００９】
１つ又は複数の実施形態、及びこれに対応する開示によれば、様々な態様は、無線通信環境においてＶＰＬＭＮ自律ＣＳＧローミングのサポートを容易にすることに関連して説明される。ＵＥはＶＰＬＭＮに関連付けられたＣＳＧリストサーバにアクセスし得る。例えば、ＵＥとＣＳＧリストサーバとの間で、信頼関係が確立され得る。更に、ＣＳＧリストサーバは、ＵＥによって記憶されＶＰＬＭＮに関連付けられたＶＰＬＭＮ許可ＣＳＧリストを更新し得る。従って、ＵＥは、ＶＰＬＭＮに関連付けられたＣＳＧリストサーバからＶＰＬＭＮ許可ＣＳＧリストを受信し得る。更に、ＵＥは、許可ＣＳＧリストの一部分としてＶＰＬＭＮ許可ＣＳＧリストを記憶し得る。ＶＰＬＭＮ許可ＣＳＧリストは、ＶＰＬＭＮに関連付けられた１つ又は複数のエントリを含み得る。更に、許可ＣＳＧリストは、少なくとも１つのオペレータ及びＵＥの制御のもとにあり得る。
【００１０】
関連した態様によれば、方法が本明細書で説明される。方法は、訪問先公衆陸上モバイルネットワーク（ＶＰＬＭＮ）に関連付けられた閉鎖加入者グループ（ＣＳＧ）リストサーバにアクセスすることを含み得る。更に、方法は、ＶＰＬＭＮに関連付けられたＣＳＧリストサーバからＶＰＬＭＮ許可ＣＳＧリストを受信することを含み得る。更に、方法は、ユーザ機器（ＵＥ）において許可ＣＳＧリストの一部分としてＶＰＬＭＮ許可ＣＳＧリストを記憶し、ＶＰＬＭＮの中にＵＥを供給することを含み得る。ＶＰＬＭＮ許可ＣＳＧリストは、ＶＰＬＭＮに関連付けられた１つ又は複数のエントリを備え、許可ＣＳＧリストは、少なくとも１つのオペレータ及びＵＥの制御のもとにある。
【００１１】
他の態様は、無線通信装置に関する。無線通信装置は、少なくとも１つのプロセッサを含み得る。少なくとも１つのプロセッサは、訪問先公衆陸上モバイルネットワーク（ＶＰＬＭＮ）に関連付けられた閉鎖加入者グループ（ＣＳＧ）リストサーバにアクセスするように構成され得る。更に、少なくとも１つのプロセッサは、ＶＰＬＭＮに関連付けられたＣＳＧリストサーバからＶＰＬＭＮ許可ＣＳＧリストを受信するように構成され得る。更に、少なくとも１つのプロセッサは、ユーザ機器（ＵＥ）において許可ＣＳＧリストの一部分としてＶＰＬＭＮ許可ＣＳＧリストを記憶し、ＵＥをＶＰＬＭＮの中に供給するように構成され得る。ＶＰＬＭＮ許可ＣＳＧリストは、ＶＰＬＭＮに関連付けられた１つ又は複数のエントリを備え、許可ＣＳＧリストは、少なくとも１つのオペレータ及びＵＥの制御のもとにある。
【００１２】
更に他の態様は、装置に関する。装置は、訪問先公衆陸上モバイルネットワーク（ＶＰＬＭＮ）に関連付けられた閉鎖加入者グループ（ＣＳＧ）にアクセスする手段を含み得る。装置は、ＶＰＬＭＮに関連付けられたＣＳＧリストサーバからＶＰＬＭＮ許可ＣＳＧリストを受信する手段を更に含み得る。更に、装置は、ユーザ機器（ＵＥ）において許可ＣＳＧリストの一部分としてＶＰＬＭＮ許可ＣＳＧリストを記憶し、ＶＰＬＭＮの中にＵＥを供給する手段を含み得る。ＶＰＬＭＮ許可ＣＳＧリストは、ＶＰＬＭＮに関連付けられた１つ又は複数のエントリを備え、許可ＣＳＧリストは、少なくとも１つのオペレータ及びＵＥの制御のもとにある。
【００１３】
更に他の態様は、コンピュータ読み取り可能メディアを備え得るコンピュータ・プログラム・プロダクトに関する。コンピュータ読み取り可能メディアは、少なくとも１つのコンピュータが、訪問先公衆陸上モバイルネットワーク（ＶＰＬＭＮ）に関連付けられた閉鎖加入者グループ（ＣＳＧ）リストサーバへアクセスすることを引き起こすコードを含み得る。更に、コンピュータ読み取り可能メディアは、少なくとも１つのコンピュータが、ＶＰＬＭＮに関連付けられたＣＳＧリストサーバからＶＰＬＭＮ許可ＣＳＧリストを受信することを引き起こすコードを含み得る。更に、コンピュータ読み取り可能メディアは、少なくとも１つのコンピュータが、ユーザ機器（ＵＥ）において許可ＣＳＧリストの一部分としてＶＰＬＭＮ許可ＣＳＧリストを記憶し、ＶＰＬＭＮの中にＵＥを供給することを引き起こすコードを含み得る。ＶＰＬＭＮ許可ＣＳＧリストは、ＶＰＬＭＮに関連付けられた１つ又は複数のエントリを備え、許可ＣＳＧリストは、少なくとも１つのオペレータ及びＵＥの制御のもとにある。
【００１４】
更に他の態様は、アクセスコンポーネントを含み得る装置に関する。アクセスコンポーネントは、訪問先公衆陸上モバイルネットワーク（ＶＰＬＭＮ）に関連付けられた閉鎖加入者グループ（ＣＳＧ）リストサーバにアクセスする。更に、装置は、リスト管理コンポーネントを含み得る。リスト管理コンポーネントは、ＶＰＬＭＮに関連付けられたＣＳＧリストサーバからＶＰＬＭＮ許可ＣＳＧリストを受信し、ユーザ機器（ＵＥ）において許可ＣＳＧリストの一部分としてＶＰＬＭＮ許可ＣＳＧリストを記憶し、ＶＰＬＭＮの中にＵＥを供給する。ＶＰＬＭＮ許可ＣＳＧリストは、ＶＰＬＭＮに関連付けられた１つ又は複数のエントリを備え、許可ＣＳＧリストは、少なくとも１つのオペレータ及びＵＥの制御のもとにある。
【００１５】
他の態様によれば、方法が本明細書で説明される。方法は、異なる公衆陸上モバイルネットワーク（ＰＬＭＮ）に関連付けられたユーザ機器（ＵＥ）との信頼関係を確立することを含み得る。更に、方法は、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新することを含み得る。ＶＰＬＭＮ許可ＣＳＧリストは、少なくとも１つのオペレータ及びＵＥの制御のもとにある許可ＣＳＧリストの一部分である。
【００１６】
他の態様は、無線通信装置に関する。無線通信装置は、少なくとも１つのプロセッサを含み得る。少なくとも１つのプロセッサは、異なる公衆陸上モバイルネットワーク（ＰＬＭＮ）に関連付けられたユーザ機器（ＵＥ）との信頼関係を確立するように構成され得る。更に、少なくとも１つのプロセッサは、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新するように構成され得る。ＶＰＬＭＮ許可ＣＳＧリストは、少なくとも１つのオペレータ及びＵＥの制御のもとにある許可ＣＳＧリストの一部分である。
【００１７】
更に他の態様は装置に関する。装置は、異なる公衆陸上モバイルネットワーク（ＰＬＭＮ）に関連付けられたユーザ機器（ＵＥ）との信頼関係を確立する手段を含み得る。更に、装置は、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する手段を含み得る。ＶＰＬＭＮ許可ＣＳＧリストは、少なくとも１つのオペレータ及びＵＥの制御のもとにある許可ＣＳＧリストの一部分である。
【００１８】
更に他の態様は、コンピュータ読み取り可能メディアを備え得るコンピュータ・プログラム・プロダクトに関する。コンピュータ読み取り可能メディアは、少なくとも１つのコンピュータが、異なる公衆陸上モバイルネットワーク（ＰＬＭＮ）に関連付けられたユーザ機器（ＵＥ）との信頼関係を確立することを引き起こすコードを含み得る。更に、コンピュータ読み取り可能メディアは、少なくとも１つのコンピュータが、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新することを引き起こすコードを含み得る。ＶＰＬＭＮ許可ＣＳＧリストは、少なくとも１つのオペレータ及びＵＥの制御のもとにある許可ＣＳＧリストの一部分である。
【００１９】
更に他の態様は、異なる公衆陸上モバイルネットワーク（ＰＬＭＮ）に関連付けられたユーザ機器（ＵＥ）との信頼関係を確立する初期化コンポーネントを含み得る装置に関する。更に、装置は、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する更新コンポーネントを含み得る。ＶＰＬＭＮ許可ＣＳＧリストは、少なくとも１つのオペレータ及びＵＥの制御のもとにある許可ＣＳＧリストの一部分である。
【００２０】
前記及び関連目的を達成するため、前記１つ又は複数の態様は、この後で十分に説明され特許請求の範囲の中で具体的に指摘される特徴を備える。この後の説明及び添付の図面は、前記１つ又は複数の態様の例示的特徴を詳細に記述する。しかし、これらの特徴は、様々な態様の原理が採用される様々な方途の少数を暗示するだけである。この説明は、全てのこのような態様、及び態様の等価物を含むことを意図される。
【図面の簡単な説明】
【００２１】
【図１】図１は、本明細書で記述される様々な態様に従った無線通信システムの図である。
【図２】図２は、無線通信環境においてＶＰＬＭＮ自律ＣＳＧローミングをサポートする例示的システムの図である。
【図３】図３は、ＶＰＬＭＮ自律ＣＳＧローミングをサポートする無線通信環境において許可ＣＳＧリスト及びオペレータＣＳＧリストを供給する例示的システムの図である。
【図４】図４は、ＶＰＬＭＮ自律ＣＳＧローミングをサポートする無線通信環境において許可ＣＳＧリスト及びオペレータＣＳＧリストを供給する例示的システムの図である。
【図５】図５は、無線通信環境においてアクセスを制御する例示的システムの図である。
【図６】図６は、無線通信環境においてＵＥでＣＳＧ加入データを管理する例示的システムの図である。
【図７】図７は、ネットワーク環境の内部でアクセスポイント基地局（例えばフェムトセル基地局、．．．）の展開を可能にする例示的システムの図である。
【図８】図８は、無線通信環境において閉鎖加入者グループ（ＣＳＧ）サポートを提供する例示的システムの図である。
【図９】図９は、ＶＰＬＭＮ自律ＣＳＧローミングサポートを提供するため、無線通信環境においてＣＳＧ加入データの収集を容易にする例示的方法の図である。
【図１０】図１０は、ＶＰＬＭＮ自律ＣＳＧローミングサポートを提供するため、無線通信環境において許可ＣＳＧリストの供給を容易にする例示的方法の図である。
【図１１】図１１は、無線通信環境においてＣＳＧ加入データの供給を容易にする例示的方法の図である。
【図１２】図１２は、無線通信環境においてＣＳＧ加入データの検索を容易にする例示的方法の図である。
【図１３】図１３は、無線通信環境においてＣＳＧ加入データの取得を可能にする例示的システムの図である。
【図１４】図１４は、無線通信環境においてＣＳＧ加入データの供給を可能にする例示的システムの図である。
【図１５】図１５は、本明細書で説明される機能の様々な態様を実現するために利用され得る例示的システムの図である。
【図１６】図１６は、本明細書で説明される機能の様々な態様を実現するために利用され得る例示的システムの図である。
【図１７】図１７は、本明細書で説明される様々なシステム及び方法に関して採用され得る例示的無線ネットワーク環境の図である。
【発明を実施するための形態】
【００２２】
ここで図面を参照して、請求される主題の様々な態様が説明される。図面において、全体を通して同様の要素を指すためには、同様の参照番号が使用される。この後の説明では、明白にする目的で、多くの具体的詳細が記述される。これは１つ又は複数の態様の徹底的理解を提供するためである。しかしながら、このような態様は、これらの具体的詳細なしに実施されてもよいことが明らかであろう。他の場合には、周知の構造及びデバイスはブロック図形式で示される。これは１つ又は複数の態様の説明を容易にするためである。
【００２３】
本願で使用される場合、「コンポーネント」、「モジュール」、及び「システム」、などの用語は、コンピュータ関連エンティティを意味し、ハードウェア、ファームウェア、ハードウェアとソフトウェアとの組み合わせ、ソフトウェア、又は実行中のソフトウェアであることを意図される。例えば、コンポーネントは、非限定的に、プロセッサで実行しているプロセス、プロセッサ、集積回路、オブジェクト、実行可能ファイル、実行スレッド、プログラム、及び／又はコンピュータであり得る。例として、コンピューティングデバイスで実行しているアプリケーション、及びコンピューティングデバイスの双方は、コンポーネントであり得る。１つ又は複数のコンポーネントがプロセス及び／又は実行スレッドの内部に存在可能であり、コンポーネントは１つのコンピュータに局所化され、及び／又は２つ以上のコンピュータに分散され得る。加えて、これらのコンポーネントは、様々なデータ構造を記憶された様々なコンピュータ読み取り可能メディアから実行され得る。コンポーネントは、ローカル及び／又はリモートプロセスを介して、例えば１つ又は複数のデータパケット（例えば、ローカルシステム、分散システムの他のコンポーネントと交信し、及び／又はネットワーク、例えばインターネットを横断して、信号によって他のシステムと交信している１つのコンポーネントからのデータ）を有する信号に従って通信し得る。
【００２４】
本明細書で説明される様々な手法は、様々な無線通信システム、例えば、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリヤ周波数分割多元接続（ＳＣ−ＦＤＭＡ）システム、及び他のこのようなシステムについて使用され得る。「システム」及び「ネットワーク」の用語は、しばしば互換的に使用される。ＣＤＭＡシステムは、無線技術、例えば全世界地上無線アクセス（ＵＴＲＡ）、ＣＤＭＡ２０００、などを実現し得る。ＵＴＲＡは、広帯域ＣＤＭＡ（Ｗ−ＣＤＭＡ）及びＣＤＭＡの他の変形を含む。ＣＤＭＡ−２０００はＩＳ−２０００、ＩＳ−９５、及びＩＳ−８５６標準をカバーする。ＴＤＭＡシステムは、無線技術、例えば全地球モバイル通信システム（ＧＳＭ（登録商標））を実現し得る。ＯＦＤＭＡシステムは、無線技術、例えば発展ＵＴＲＡ（Ｅ−ＵＴＲＡ）、超モバイル広帯域（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、などを実現し得る。ＵＴＲＡ及びＥ−ＵＴＲＡは、全世界モバイル電気通信システム（ＵＭＴＳ）の一部分である。３ＧＰＰ長期発展（ＬＴＥ）は、Ｅ−ＵＴＲＡを使用するＵＭＴＳの来るべきリリースであり、ダウンリンクでＯＦＤＭＡを採用し、アップリンクでＳＣ−ＦＤＭＡを採用する。ＵＴＲＡ、Ｅ−ＵＴＲＡ、ＵＭＴＳ、ＬＴＥ、及びＧＳＭ（登録商標）は、「第３世代パートナーシッププロジェクト」（３ＧＰＰ）という名称の組織からの文書に説明されている。追加として、ＣＤＭＡ２０００及びＵＭＢは、「第３世代パートナーシッププロジェクト２」（３ＧＰＰ２）という名称の組織からの文書に説明されている。更に、このような無線通信システムは、多くの場合、非ペア非ライセンススペクトル、８０２．ｘｘ無線ＬＡＮ、ブルートゥース（ＢＬＵＥＴＯＯＴＨ（登録商標））、及び他の短距離又は長距離範囲無線通信手法を使用するピアツーピア（例えば、モバイルツーモバイル）アドホックネットワークシステムを追加的に含み得る。
【００２５】
シングルキャリヤ周波数分割多元接続（ＳＣ−ＦＤＭＡ）は、シングルキャリヤ変調及び周波数ドメイン等化を利用する。ＳＣ−ＦＤＭＡは、ＯＦＤＭＡシステムと同じような性能及び本質的に同一の全体的複雑度を有する。ＳＣ−ＦＤＭＡ信号は、固有のシングルキャリヤ構造を理由として、より低いピーク対平均電力比（ＰＡＰＲ）を有する。ＳＣ−ＦＤＭＡは、例えばアップリンク通信で使用され得る。この場合、より低いＰＡＰＲが、送信電力の効率に関してＵＥに大きい利益を与える。従って、ＳＣ−ＦＤＭＡは、３ＧＰＰ長期発展（ＬＴＥ）又は発展ＵＴＲＡでのアップリンク多元接続スキームとして実現され得る。
【００２６】
更に、本明細書ではユーザ機器（ＵＥ）との関連で様々な態様が説明される。ＵＥは、音声及び／又はデータ接続を提供するデバイスであると言える。ＵＥは、コンピューティングデバイス、例えばラップトップ（laptop）コンピュータ又はデスクトップコンピュータへ接続されるか、内臓式デバイス、例えばパーソナル・ディジタル・アシスタント（ＰＤＡ）であり得る。ＵＥは、システム、加入者ユニット、加入者局、モバイル局、モバイル、遠隔局、遠隔端末、モバイルデバイス、ユーザ端末、端末、無線通信デバイス、ユーザエージェント、ユーザデバイス、又はアクセス端末とも呼ばれ得る。ＵＥは、携帯電話、コードレス電話、セッション開始プロトコル（ＳＩＰ）電話、無線ローカルループ（ＷＬＬ）局、パーソナル・ディジタル・アシスタント（ＰＤＡ）、無線接続能力を有するハンドヘルドデバイス、コンピューティングデバイス、又は無線モデムへ接続された他の処理デバイスであり得る。更に、本明細書では基地局との関連で様々な態様が説明される。基地局は、ＵＥと通信するために利用され、アクセスポイント、ノードＢ、発展ノードＢ（ｅＮｏｄｅＢ、ｅＮＢ）、フェムトセル、ピコセル、マイクロセル、マクロセル、ホーム発展ノードＢ（ＨｅＮＢ）、ホームノードＢ（ＨＮＢ）、などの用語で呼ばれ得る。基地局は、１つ又は複数のセクタを介してエアインタフェース上でＵＥと通信するアクセスネットワーク内のデバイスと言える。基地局は、受信されたエア・インタフェース・フレームをＩＰパケットへ変換することによって、無線端末と、インターネットプロトコル（ＩＰ）ネットワークを含み得るアクセスネットワークの残りとの間で、ルータとして行為し得る。基地局は、更にエアインタフェースについて属性の管理を調整し得る。
【００２７】
更に、「ｏｒ」の用語は、排他的「ｏｒ」ではなく包含的「ｏｒ」を意味することが意図される。即ち、特にそうでないことを指定されない限り、又は文脈から明らかでない限り、「ＸはＡ又は（ｏｒ）Ｂを採用する」の語句は、自然の包含的順列の任意のものを意味することが意図される。即ち、「ＸはＡ又は（ｏｒ）Ｂを採用する」の語句は、次の場合、即ち、ＸはＡを採用する；ＸはＢを採用する；ＸはＡ及びＢの双方を採用する；のいずれによっても満足される。加えて、本願及び添付の特許請求の範囲で使用される冠詞「a」及び「an」は、特にそうでないことを指定されない限り、又は単数形態へ向けられていることが文脈から明らかでない限り、一般的に「１つ又は複数」の意味に解釈されるべきである。
【００２８】
更に、本明細書で説明される様々な機能は、ハードウェア、ソフトウェア、ファームウェア、又はこれらの組み合わせで実現され得る。もしソフトウェアで実現されるならば、機能は１つ又は複数の命令又はコード（code）としてコンピュータ読み取り可能メディアの上に記憶されるか送信され得る。コンピュータ読み取り可能メディアは、コンピュータ記憶メディア、及び１つの場所から他の場所へのコンピュータプログラム転送を容易にするメディアを含む通信メディア、の双方を含む。記憶メディアは、コンピュータによってアクセスされ得る利用可能なメディアであり得る。例として、非限定的に、このようなコンピュータ読み取り可能メディアは、ＲＡＭ、ＲＯＭ、ＥＥＰＲＯＭ、ＣＤ−ＲＯＭ、又は他の光ディスク記憶装置、磁気ディスク記憶装置又は他の磁気記憶デバイス、又は命令又はデータ構造形式の所望のプログラムコードを担持又は記憶するために使用可能であってコンピュータによりアクセスされ得る他のメディアを備え得る。更に、接続は、コンピュータ読み取りメディアと適正に呼ばれる。例えば、もしソフトウェアが、同軸ケーブル、光ファイバケーブル、対より線、ディジタル加入者線（ＤＳＬ）、又は無線技術、例えば赤外線、無線、及びマイクロ波を使用してウェブサイト、サーバ、又は他の遠隔源から送信されるならば、同軸ケーブル、光ファイバケーブル、対より線、ＤＳＬ、又は無線技術、例えば赤外線、無線、及びマイクロ波は、メディアの定義の中に含まれる。本明細書で使用される場合、ｄｉｓｋ及びｄｉｓｃは、コンパクトディスク（ＣＤ）、レーザディスク、光ディスク、ディジタル万能ディスク（ＤＶＤ）、フロッピー（登録商標）ディスク、及びブルーレイディスク（ＢＤ）を含む。ここで、ｄｉｓｋは、通常、データを磁気的に再生し、ｄｉｓｃはレーザを用いてデータを光学的に再生する。上記の組み合わせも、コンピュータ読み取り可能メディアの範囲の中に含められるべきである。
【００２９】
様々な態様は、多数のデバイス、コンポーネント、モジュール、などを含み得るシステムとの関連で提示される。様々なシステムは、追加のデバイス、コンポーネント、モジュール、などを含み得ること、及び／又は図面に関連して説明されたデバイス、コンポーネント、モジュール、などの１つ又は複数は含められる必要がないこと、を理解及び了解すべきである。これらのアプローチの組み合わせも使用され得る。
【００３０】
ここで図１を参照すると、本明細書で提示される様々な実施形態に従った無線通信システム１００が図示される。無線通信システム１００は、複数のアンテナ群を含み得る基地局１０２を備える。例えば、１つのアンテナ群はアンテナ１０４及び１０６を含み、他の群はアンテナ１０８及び１１０を含み、追加の群はアンテナ１１２及び１１４を含み得る。各アンテナ群について２つのアンテナが図示される。しかしながら、各群について、もっと多いか少ないアンテナが利用され得る。基地局１０２は、追加的に送信機連鎖及び受信機連鎖を含む。これらの連鎖の各々は、当業者によって了解されるように、信号の送信及び受信に関連付けられた複数のコンポーネント（例えば、プロセッサ、変調器、マルチプレクサ、復調器、デマルチプレクサ、アンテナ、など）を備え得る。
【００３１】
基地局１０２は、１つ又は複数のユーザ機器（ＵＥ）、例えばＵＥ１１６及びＵＥ１２２と通信し得る。しかしながら、基地局１０２は、ＵＥ１１６及び１２２と類似した実質的に任意の数のＵＥと通信し得ることを了解すべきである。ＵＥ１１６及び１２２は、例えば携帯電話、高度自動機能電話、ラップトップ、ハンドヘルド通信デバイス、ハンドヘルド・コンピューティング・デバイス、衛星無線、全地球測位システム、ＰＤＡ、及び／又は無線通信システム１００の上で通信する任意の他の適切なデバイスであり得る。図示されるように、ＵＥ１１６はアンテナ１１２及び１１４と通信している。ここで、アンテナ１１２及び１１４は順方向リンク１１８の上でＵＥ１１６へ情報を送信し、逆方向リンク１２０の上でＵＥ１１６から情報を受信する。更に、ＵＥ１２２はアンテナ１０４及び１０６と通信している。ここで、アンテナ１０４及び１０６は順方向リンク１２４の上でＵＥ１２２へ情報を送信し、逆方向リンク１２６の上でＵＥ１２２から情報を受信する。周波数分割双方向（ＦＤＤ）システムにおいて、順方向リンク１１８は、逆方向リンク１２０によって使用される周波数帯域とは異なる周波数帯域を利用し、順方向リンク１２４は、例えば、逆方向リンク１２６によって採用される周波数帯域とは異なる周波数帯域を採用し得る。更に、時分割２重（ＴＤＤ）システムにおいて、順方向リンク１１８及び逆方向リンク１２０は共通の周波数帯域を利用し、順方向リンク１２４及び逆方向リンク１２６は共通の周波数帯域を利用し得る。
【００３２】
アンテナの各群、及びそれらが通信を指定されるエリアは、基地局１０２のセクタと呼ばれる。例えば、アンテナ群は、基地局１０２によってカバーされるエリアのセクタ内でＵＥへ通信するように設計され得る。順方向リンク１１８及び１２４の上の通信において、基地局１０２の送信アンテナはビームフォーミングを利用し、ＵＥ１１６及び１２２について順方向リンク１１８及び１２４の信号対雑音比を改善し得る。更に、基地局１０２は、ビームフォーミングを利用して、関連付けられたカバレージ内の無作為に分散したＵＥ１１６及び１２２へ送信するので、単一のアンテナを介して自分の全てのＵＥへ送信する基地局と比較された場合、近隣セル内のＵＥが受ける干渉は少なくなり得る。
【００３３】
基地局１０２は、公衆陸上モバイルネットワーク（ＰＬＭＮ）の一部分である。例えば、ＵＥ（例えば、ＵＥ１１６、ＵＥ１２２、．．．）は、基地局１０２に関連付けられたＰＬＭＮへ直接加入し得る。従って、基地局１０２に関連付けられたＰＬＭＮは、ホーム公衆陸上モバイルネットワーク（ＨＰＬＭＮ）と呼ばれ得る。他の例によれば、ＵＥ（例えば、ＵＥ１１６、ＵＥ１２２、．．．）は、基地局１０２に関連付けられたＰＬＭＮ以外の異種のＰＬＭＮへ直接加入し得る。従って、基地局１０２に関連付けられたＰＬＭＮは、訪問先公衆陸上モバイルネットワーク（ＶＰＬＭＮ）と呼ばれ得る。
【００３４】
更に、基地局１０２は任意のタイプの基地局であり得ることが想定される（例えば、マクロセル基地局、マイクロセル基地局、ピコセル基地局、フェムトセル基地局、．．．）。更に、基地局１０２は、例えば閉鎖アクセスモードで動作し得る。閉鎖アクセスモードを採用したとき、基地局１０２は閉鎖加入者グループ（ＣＳＧ）基地局として動作し得る。この場合、ＣＳＧ識別子（ＩＤ）によって識別されたユーザの選択グループが、そのような基地局にアクセスすることを許される。しかしながら、請求される主題は、このように限定されないことを了解すべきである（例えば、基地局１０２は混成アクセスモード、開放アクセスモード、．．．で動作し得る）。
【００３５】
ＣＳＧ基地局は、ＣＳＧのメンバーによってアクセス可能な、制限された関連付けを有する基地局を意味する（例えば、ＣＳＧの非メンバーによってはアクセス可能でない、．．．）。ＣＳＧ基地局は閉鎖基地局とも呼ばれる。ＣＳＧは、ＵＥの共通アクセス制御リストを共有する基地局の集合である。更に、ＣＳＧ基地局は、対応するＣＳＧ  ＩＤ（例えば、ＣＳＧアイデンティティ、．．．）を公示し得る。ＣＳＧ  ＩＤは、ＣＳＧ基地局に対応するＣＳＧを指定する。
【００３６】
基地局１０２は、ＵＥ１１６及びＵＥ１２２へ情報をブロードキャストし得る。ブロードキャストされる情報は、例えば、基地局１０２に関連付けられたＣＳＧを識別するＣＳＧ  ＩＤを含み得る。ＣＳＧ  ＩＤは、加入者グループに関連付けられたバイナリベースの識別子である。ＣＳＧ  ＩＤは、ＣＳＧ基地局に関連付けられた加入者グループ（例えば、ＣＳＧ、．．．）を識別するために使用され、ＣＳＧ基地局について、制限された関連付けをサポートするために利用され得る。ＣＳＧ  ＩＤは、ＣＳＧ基地局に関連付けられたＣＳＧを唯一無二に識別し得る。しかしながら、請求される主題は、これに限定されない。更に、基地局に関連付けられたＣＳＧ  ＩＤは、典型的には、インターネット・プロトコル（ＩＰ）アドレスに基づかない。１つを超える基地局が共通のＣＳＧ  ＩＤを共有することが更に想定される。しかしながら、請求される主題は、これに限定されない。
【００３７】
ＵＥ（例えば、ＵＥ１１６、ＵＥ１２２、．．．）は、ネットワークの全体でローミングするので、ＵＥは、ＵＥがアクセスを許される基地局を識別するためＵＥによって記憶されたリスト（例えば、ホワイトリスト、．．．）を使用し得る。ＵＥによって保持されるリストは、ＵＥ及びオペレータの双方によって制御され得る。ＵＥは、リストについて読み取り及び書き込み認可を有し得る。ＵＥ及びオペレータによって制御されるリストは、許可ＣＳＧリストと呼ばれ得る。更に、許可ＣＳＧリストは、ＣＳＧ  ＩＤ、及び加入者が所属するＣＳＧの関連付けられたＰＬＭＮアイデンティティを含み得る。更に、許可ＣＳＧリストは、ホームノードＢ名及び／又はＣＳＧタイプを含み得る。しかし、請求される主題は、これに限定されない。
【００３８】
例えば、どのＣＳＧへのアクセスをＵＥが許されるかに関してネットワークは情報を取得するので、ネットワークノード（例えば、ＣＳＧリストサーバ、．．．）は、リストの更新をＵＥに命令するメッセージをＵＥへ送信し得る。例を挙げると、ＵＥによって記憶されたリストを更新するため、アプリケーションレベルの更新が採用され得る。例えば、アプリケーションレベルの更新は、オーバ・ザ・エア（ＯＴＡ）手順又は開放モバイル同盟デバイス管理（ＯＭＡ  ＤＭ）手順を使用するオペレータによって管理され得る。しかし、請求される主題は、前記に限定されないことを了解すべきである。
【００３９】
例を挙げると、ＵＥ（例えば、ＵＥ１１６、ＵＥ１２２、．．．）は、基地局１０２に関連付けられたＰＬＭＮ以外の異なるＰＬＭＮ（例えば、ＵＥが加入するＨＰＬＭＮ、．．．）に加入し得る。従って、基地局１０２に関連付けられたＰＬＭＮは、ＵＥについてＶＰＬＭＮであり得る。ＶＰＬＭＮは、ＨＰＬＭＮとＣＳＧ特定情報を交換することなくＵＥへＣＳＧメンバーシップを提供し得る。例えば、ＣＳＧメンバーシップは、成功した手作業選択の結果として、ＵＥによって獲得され得る。更なる例として、ＶＰＬＭＮの中に滞在する間にＵＥへ付与されたＣＳＧメンバーシップは、ＵＥが他のＰＬＭＮへ移動し、続いてＶＰＬＭＮへ戻る場合、ＶＰＬＭＮによって保持され得る。
【００４０】
無線通信システム１００は、ＶＰＬＭＮ自律ＣＳＧローミングをサポートするため、ＵＥによって保持されたリストの更新をサポートし得る。更に具体的には、ＶＰＬＭＮは、異なるＰＬＭＮに関連付けられたＵＥとの信頼関係を確立し得る。更に、ＶＰＬＭＮは、ＵＥによって記憶されＶＰＬＭＮに関連付けられたＶＰＬＭＮ許可ＣＳＧリストを更新し得る。ＶＰＬＭＮ許可ＣＳＧリストは、少なくとも１つのオペレータ及びＵＥの制御のもとにある許可ＣＳＧリストの一部分であり得る。更に、ＶＰＬＭＮ許可ＣＳＧリストは、ＶＰＬＭＮに関連付けられた１つ又は複数のエントリ（例えば、ＣＳＧ  ＩＤ、．．．）を含み得る。ＵＥは、ＶＰＬＭＮ許可ＣＳＧリストを受信し、ＶＰＬＭＮ許可ＣＳＧリストを許可ＣＳＧリストの一部分としてＵＥで記憶し、ＶＰＬＭＮの中にＵＥを供給し得る。
【００４１】
図２を参照すると、無線通信環境でＶＰＬＭＮ自律ＣＳＧローミングをサポートするシステム２００が図示される。システム２００は、ＨＰＬＭＮ２０２、ＶＰＬＭＮ２０４、及びＵＥ２０６を含む。更に、図示されてはいないが、システム２００は、実質的にＵＥ２０６と類似する任意の数の異種のＵＥを更に含み得ることが想定される。更に、図示されてはいないが、システム２００は、実質的にＶＰＬＭＮ２０４と類似する任意の数の異種のＶＰＬＭＮを含み得ることを了解すべきである。
【００４２】
ＨＰＬＭＮ２０２はホームＣＳＧリストサーバ２０８を含む。ホームＣＳＧリストサーバ２０８は、異なるＣＳＧへのメンバーシップを管理するためＵＥ２０６によって使用される機能をホストし得る。ホームＣＳＧリストサーバ２０８は、初期化コンポーネント２１０及び更新コンポーネント２１２を含み得る。更に、ＨＰＬＭＮ２０２は許可ＣＳＧリスト２１４を含み得る。初期化コンポーネント２１０は、ＵＥ２０６との信頼関係を確立し得る（例えば、ＵＥ２０６、．．．によってアクセスされたとき）。更に、更新コンポーネント２１２は、初期化コンポーネント２１０によって確立されるように、ＵＥ２０６がＨＰＬＭＮ２０２へアタッチされたとき、許可ＣＳＧリスト２１４に基づきＵＥ２０６のＣＳＧ加入を更新し得る。従って、例えば、ホームＣＳＧリストサーバ２０８はＵＥ  ＣＳＧ供給機能を提供し得る。ＵＥ  ＣＳＧ供給機能は、ＨＰＬＭＮ２０２によって保持された許可ＣＳＧリスト２１４に基づき、ＵＥ２０６によって保持された許可ＣＳＧリスト２２８を管理する。
【００４３】
更に、ＶＰＬＭＮ２０４は訪問先ＣＳＧリストサーバ２１６を含み得る。訪問先ＣＳＧリストサーバ２１６は、異なるＣＳＧへのメンバーシップを管理するためＵＥ２０６によって使用される機能を同様にホストし得る。訪問先ＣＳＧリストサーバ２１６は、初期化コンポーネント２１８及び更新コンポーネント２２０を含み得る。更に、ＶＰＬＭＮ２０４はＶＰＬＭＮ許可ＣＳＧリスト２２２を含み得る。初期化コンポーネント２１８は、ＵＥ２０６との信頼関係を確立し得る（例えば、ＵＥ２０６、．．．によってアクセスされたとき）。更に、更新コンポーネント２２０は、初期化コンポーネント２１８によって確立されるように、ＵＥ２０６がＶＰＬＭＮ２０４へアタッチされたとき、ＶＰＬＭＮ許可ＣＳＧリスト２２２に基づきＵＥ２０６のＣＳＧ加入を更新し得る。例として、訪問先ＣＳＧリストサーバ２１６はＵＥ  ＣＳＧ供給機能を提供し得る。ＵＥ  ＣＳＧ供給機能は、ＶＰＬＭＮ２０４によって保持されたＶＰＬＭＮ許可ＣＳＧリスト２２２に基づき、ＵＥ２０６によって保持された許可ＣＳＧリスト２２８の中に含まれＶＰＬＭＮ２０４に関連付けられた１つ又は複数のＣＳＧエントリ（例えば、ＶＰＬＭＮ許可ＣＳＧリスト２３０、．．．）を管理する。
【００４４】
ＵＥ２０６は、アクセスコンポーネント２２４、リスト管理コンポーネント２２６、及び許可ＣＳＧリスト２２８を含み得る。許可ＣＳＧリスト２２８は、ＶＰＬＭＮ許可ＣＳＧリスト２３０を更に含み得る。図示されてはいないが、許可ＣＳＧリスト２２８は、異種のＶＰＬＭＮに関連付けられた任意の数の異種のＶＰＬＭＮ許可ＣＳＧリストを更に含み得ることが想定される（例えば、異種のＶＰＬＭＮ許可ＣＳＧリストは、実質的にＶＰＬＭＮ許可ＣＳＧリスト２３０、．．．と類似する）。しかしながら、請求される主題は、これに限定されない。
【００４５】
アクセスコンポーネント２２４は、ＶＰＬＭＮ２０４に関連付けられた訪問先ＣＳＧリストサーバ２１６にアクセスし得る。アクセスコンポーネント２２４は、ＶＰＬＭＮ許可ＣＳＧリスト２３０を供給するため、ＶＰＬＭＮ２０４によって提供された訪問先ＣＳＧリストサーバ２１６に接触し得る。例えば、アクセスコンポーネント２２４は、ＵＥ２０６がＶＰＬＭＮ２０４の基地局（図示せず）へ接続されたとき、ＶＰＬＭＮ２０４に関連付けられた訪問先ＣＳＧリストサーバ２１６にアクセスし得る。他の例として、アクセスコンポーネント２２４は、ＵＥ２０６がＨＰＬＭＮ２０２の基地局（図示せず）へ接続されたとき、ＶＰＬＭＮ２０４に関連付けられた訪問先ＣＳＧリストサーバ２１６にアクセスし得る。
【００４６】
更に、リスト管理コンポーネント２２６は、ＶＰＬＭＮ２０４に関連付けられた訪問先ＣＳＧリストサーバ２１６からＶＰＬＭＮ許可ＣＳＧリスト２３０を受信し得る（例えば、ＶＰＬＭＮ許可ＣＳＧリスト２２２、．．．に基づき）。リスト管理コンポーネント２２６は、ＶＰＬＭＮ２０４の中にＵＥ２０６を供給するため、許可ＣＳＧリスト２２８の一部分としてＶＰＬＭＮ許可ＣＳＧリスト２３０を記憶し得る。更に、リスト管理コンポーネント２２６は、ＶＰＬＭＮ許可ＣＳＧリスト２３０を受信したとき、訪問先ＣＳＧリストサーバ２１６に関連付けられたＶＰＬＭＮ２０４について許可ＣＳＧリスト２２８のエントリを更新し得る。
【００４７】
これからの説明の多くは、ＶＰＬＭＮ許可ＣＳＧリスト２３０を更新するため訪問先ＣＳＧリストサーバ２１６にアクセスするＵＥ２０６に関連するが、ＵＥ２０６がホームＣＳＧリストサーバ２０８にアクセスし、従って、ＨＰＬＭＮ２０２のホームＣＳＧリストサーバ２０８が許可ＣＳＧリスト２２８を更新し得ることも想定される。例として、アクセスコンポーネント２２４は、ＨＰＬＭＮ２０２に関連付けられたホームＣＳＧリストサーバ２０８にアクセスし得る。ホームＣＳＧリストサーバ２０８は、許可ＣＳＧリスト２２８を供給するためアクセスコンポーネント２２４によって接触され得る。更に、リスト管理コンポーネント２２６は、ＨＰＬＭＮ２０２に関連付けられたホームＣＳＧリストサーバ２０８から許可ＣＳＧリスト２２８を受信及び記憶し得る（例えば、許可ＣＳＧリスト２１４、．．．に基づき）。
【００４８】
システム２００は、許可ＣＳＧリスト２２８（又は、この一部分、例えばＶＰＬＭＮ許可ＣＳＧリスト２３０）のアプリケーションレベルの更新をサポートし得る。例えば、ＵＥ２０６（例えば、アクセスコンポーネント２２４、．．．）は、ＶＰＬＭＮ２０４に対応する１つ又は複数のエントリを有するＶＰＬＭＮ許可ＣＳＧリスト２３０を供給するため、ＯＭＡ  ＤＭ手順を使用して、ＶＰＬＭＮ２０４によって提供された訪問先ＣＳＧリストサーバ２１６に接触し得る。従って、訪問先ＣＳＧリストサーバ２１６の更新コンポーネント２２０は、ＯＭＡ  ＤＭ手順を使用して、ＶＰＬＭＮ２０４に関連付けられたＶＰＬＭＮ許可ＣＳＧリスト２２２をＵＥ２０６へ送信し、ＵＥ２０６のリスト管理コンポーネント２２６は、ＯＭＡ  ＤＭ手順を介してＶＰＬＭＮ２０４に関連付けられた訪問先ＣＳＧリストサーバ２１６からＶＰＬＭＮ許可ＣＳＧリスト２３０を受信し得る。
【００４９】
１つの例によれば、アプリケーションレベルの更新は、混成アクセスモード（例えば、混成基地局、．．．）で動作する基地局でのメンバーシップをＵＥ２０６に供給するためにサポートされ得る。しかしながら、請求される主題は、これに限定されないことを了解すべきである。
【００５０】
ＯＭＡ  ＤＭは２つの段階を含む。即ち、ブートストラップ及びデバイス管理（ＤＭ）の供給である。ブートストラップは、クライアント（例えば、ＵＥ２０６、．．．）が新しいサーバ（例えば、訪問先ＣＳＧリストサーバ２１６、．．．）への管理セッションを開始し得る状態へクライアントを供給するプロセスに関連し得る。更に、ＤＭの供給は、デバイス（例えば、ＵＥ２０６、．．．）が、サーバ（例えば、訪問先ＣＳＧリストサーバ２１６、．．．）によって、デバイスがブートストラップされた後の更なる情報を供給されるプロセスに関連し得る。ブートストラッププロセスにおいて、クライアントとサーバとの間に信頼関係が設定され、従って、ＵＥ２０６はＶＰＬＭＮ２０４の訪問先ＣＳＧリストサーバ２１６によって認証され得る。この逆も成り立つ。
【００５１】
アクセスコンポーネント２２４が訪問先ＣＳＧリストサーバ２１６にアクセスしたとき、ＵＥ２０６のアクセスコンポーネント２２４と訪問先ＣＳＧリストサーバ２１６の初期化コンポーネント２１８とは、信頼関係を確立し得る。例えば、信頼関係は、一般ブートストラップアーキテクチャ（ＧＢＡ）手順を使用して確立され得る。ＧＢＡ手順は、ＵＥ２０６（例えば、アクセスコンポーネント２２４、．．．）及びブートストラップサーバ機能（ＢＳＦ）（例えば、ＨＰＬＭＮ２０２、．．．のネットワーク要素）が、認証及びキー合意（ＡＫＡ）プロトコルを使用して相互に認証し、セッションキーについて合意することを含み得る。セッションキーは、次いでＵＥ２０６（例えば、アクセスコンポーネント２２４、．．．）とＶＰＬＭＮ２０４のオペレータ制御ネットワークアプリケーション機能（ＮＡＦ）（例えば、初期化コンポーネント２１８、．．．）との間で適用され得る。ＮＡＦは、ＶＰＬＭＮ２０４の訪問先ＣＳＧリストサーバ２１６の中に含められ得る。ＵＥ２０６及び訪問先ＣＳＧリストサーバ２１６は、次いでブートストラップ及び供給手順の残りを実行し得る。この場合、メッセージの認証／暗号化は、ＵＥ２０６とＢＳＦとの間の相互認証中に生成されたセッションキーに基づき得る。更に、ＶＰＬＭＮ２０４の訪問先ＣＳＧリストサーバ２１６のアイデンティティは、ＰＬＭＮ特定完全記述ドメイン名（ＦＱＤＮ）に基づきドメイン名システム（ＤＮＳ）クエリを遂行することによって決定され得る。
【００５２】
更に、リスト管理コンポーネント２２６は、承認されていないＣＳＧリストサーバによって上書きされないように許可ＣＳＧリスト２２８を保護し得る。リスト管理コンポーネント２２６は、ＣＳＧリストサーバのアイデンティティの関数として、許可ＣＳＧリスト２２８のエントリを更新するかどうかを選択し得る。例えば、リスト管理コンポーネント２２６は、ＶＰＬＭＮ２０４の訪問先ＣＳＧリストサーバ２１６が、更新を承認されていないＰＬＭＮについてＣＳＧエントリを上書きしないことを保証し得る。このことは、リスト管理コンポーネント２２６が、ＶＰＬＭＮ２０４についてＵＥ２０６によって記憶されたＶＰＬＭＮ許可ＣＳＧリスト２３０を更新するため、訪問先ＣＳＧリストサーバ２１６から受信された管理データ及びコマンドを受容することによって達成され得る。更に、ＶＰＬＭＮ２０４以外のＰＬＭＮについてＵＥ２０６によって記憶された許可ＣＳＧリスト２２８の１つ又は複数のエントリを更新するため訪問先ＣＳＧリストサーバ２１６から受信された管理データ及びコマンドは、リスト管理コンポーネント２２６によって拒絶され得る。
【００５３】
他の例によれば、ＨＰＬＭＮ２０２のホームＣＳＧリストサーバ２０８は、ＰＬＭＮから独立して許可ＣＳＧリスト２２８のエントリにアクセスし得る。従って、更新コンポーネント２１２は、ＨＰＬＭＮ２０２又はＶＰＬＭＮ（例えば、ＶＰＬＭＮ２０４、．．．）について許可ＣＳＧリスト２２８のエントリを更新し得る。従って、ＨＰＬＭＮ２０２の更新コンポーネント２１２によって更新されたエントリは、ＶＰＬＭＮ許可ＣＳＧリスト２３０の中に含められ得る。更に、リスト管理コンポーネント２２６は、ＨＰＬＭＮ２０２のホームＣＳＧリストサーバ２０８から受信された管理データ及びコマンドを受容することによって、ＶＰＬＭＮ２０４に関連付けられたＶＰＬＭＮ許可ＣＳＧリスト２３０からの１つ又は複数のエントリの更新を可能にし得る。従って、許可ＣＳＧリスト２２８のＶＰＬＭＮ２０４に関連付けられた１つ又は複数のエントリは、ＵＥ２０６、ＶＰＬＭＮ２０４に関連付けられた訪問先オペレータ、及びホームオペレータの制御のもとにあり得る。対照的に、許可ＣＳＧリスト２２８のＶＰＬＭＮ２０４以外の異種のＰＬＭＮに関連付けられた１つ又は複数のエントリは、ＶＰＬＭＮ２０４に関連付けられた訪問先オペレータによる更新を禁止され得る。他の例として、ホームＣＳＧリストサーバ２０８は、ＨＰＬＭＮ２０２以外のＰＬＭＮについてエントリの更新を禁止され得る。しかしながら、請求される主題は、これに限定されないことを了解すべきである。
【００５４】
更なる例によれば、リスト管理コンポーネント２２６は、ＶＰＬＭＮ許可ＣＳＧリスト２３０のエントリを手作業で更新し得る。例えば、もしＵＥ２０６がＶＰＬＭＮ２０４のＣＳＧを手作業で選択して受容されるならば、リスト管理コンポーネント２２６は、ＶＰＬＭＮ２０４に関連付けられたＶＰＬＭＮ許可ＣＳＧリスト２３０の中に（例えば、一般的に、許可ＣＳＧリスト２２８、．．．の中に）ＣＳＧエントリを追加し得る。許可ＣＳＧリスト２２８は、このような手作業更新をサポートするため、他のＰＬＭＮについてエントリの余白を含み得る。しかしながら、請求される主題は、前記の例に限定されないことを了解すべきである。
【００５５】
ここで図３を参照すると、ＶＰＬＭＮ自律ＣＳＧローミングをサポートする無線通信環境において、許可ＣＳＧリスト及びオペレータＣＳＧリストを供給するシステム３００が図示される。システム３００は、ＨＰＬＭＮ２０２、ＶＰＬＭＮ２０４、及びＵＥ２０６を含む。図示されていないが、ＨＰＬＭＮ２０２は図２のホームＣＳＧリストサーバ２０８を更に含み、ＶＰＬＭＮ２０４は図２の訪問先ＣＳＧリストサーバ２１６を更に含み得ることが想定される。
【００５６】
ＨＰＬＭＮ２０２は、許可ＣＳＧリスト２１４及びオペレータＣＳＧリスト３０２を保持し得る。更に、ＶＰＬＭＮ２０４はＶＰＬＭＮ許可ＣＳＧリスト２２２を保持し得る。更に、ＵＥ２０６は許可ＣＳＧリスト２２８及びオペレータＣＳＧリスト３０４を保持し得る。
【００５７】
オペレータＣＳＧリスト３０４は、ＵＥ２０６の中に記憶され、排他的オペレータ制御のもとに在り得る（例えば、ＨＰＬＭＮ２０２、．．．に関連付けられたオペレータ）。オペレータＣＳＧリスト３０４は、ＣＳＧ  ＩＤ及び／又は加入者が所属するＣＳＧの関連付けられたＰＬＭＮアイデンティティを含み得る。オペレータＣＳＧリスト３０４は、例えば、ＵＥ２０６の汎用加入者識別モジュール（ＵＳＩＭ）（図示せず）（又は、加入者識別モジュール（ＳＩＭ）（図示せず））の中に記憶され得る。しかしながら、オペレータＣＳＧリスト３０４は、ＵＥ２０６の任意の他のタイプのメモリ（図示せず）の中に保持され得ることが更に想定される。メモリは、揮発性メモリ又は不揮発性メモリであるか、又は揮発性メモリ及び不揮発性メモリの双方を含み得る。例を挙げれば、非限定的に、不揮発性メモリは、読み出し専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、又はフラッシュメモリを含み得る。揮発性メモリは、外部キャッシュメモリとして行為するランダム・アクセス・メモリ（ＲＡＭ）を含み得る。例を挙げれば、非限定的に、ＲＡＭは、多くの形態、例えば、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、向上ＳＤＲＡＭ（ＥＳＤＲＡＭ）、同期リンクＤＲＡＭ（ＳＬＤＲＡＭ）、及びダイレクトランバスＲＡＭ（ＤＲＲＡＭ（登録商標））が利用可能である。主題のシステム及び方法のメモリは、これら及び任意の他の適切なタイプのメモリを非限定的に備えることが意図される。
【００５８】
オペレータＣＳＧリスト３０４は、ＵＥ２０６によってのみ読み取られ得る。更に、オペレータＣＳＧリスト３０４は、ＯＭＡ  ＤＭ手順又はＯＴＡ手順を使用して供給され得る。例えば、もしＵＥ２０６がリリース９のＵＳＩＭを有するならば、オペレータＣＳＧリスト３０４を供給するためにＯＴＡ手順が利用され、もしＵＥ２０６がプレリリース９のＵＳＩＭを有するならば、オペレータＣＳＧリスト３０４を供給するためにＯＭＡ  ＤＭ手順が採用され得る。他の例を挙げれば、もしＵＥ２０６がリリース８のＵＳＩＭを有するならば、オペレータＣＳＧリスト３０４を供給するためにＯＴＡ手順が使用され、もしＵＥ２０６がプレリリース８のＵＳＩＭを有するならば、オペレータＣＳＧリスト３０４を供給するためにＯＭＡ  ＤＭ手順が利用され得る。しかしながら、請求される主題は、前記の例に限定されないことを了解すべきである。
【００５９】
上記で言及されたように、オペレータＣＳＧリスト３０４は、ＨＰＬＭＮ２０２に関連付けられたオペレータによって制御され得る。こうして、ＶＰＬＭＮ２０４のオペレータは、オペレータＣＳＧリスト３０４の更新を禁止され得る。図示された例において、ＨＰＬＭＮ２０２の中に保持されるオペレータＣＳＧリスト３０２は、ＣＳＧエントリ１及びＣＳＧエントリ２を含み得る。ＣＳＧエントリ１及びＣＳＧエントリ２は、ＨＰＬＭＮ２０２に関連付けられ得る。更に、ホームＣＳＧリストサーバ（例えば、図２のホームＣＳＧリストサーバ２０８、．．．）は、ＣＳＧエントリ１及びＣＳＧエントリ２を含めるためＵＥ２０６によって保持されるオペレータＣＳＧリスト３０２を更新し得る。更に、訪問先ＣＳＧリストサーバ（例えば、図２の訪問先ＣＳＧリストサーバ２１６、．．．）は、ＵＥ２０６によって記憶されたオペレータＣＳＧリスト３０４のエントリを変更できないようにされ得る。
【００６０】
図３で示された例によれば、ＨＰＬＭＮ２０２によって保持される許可ＣＳＧリスト２１４は、ＣＳＧエントリ３及びＣＳＧエントリ４を含み得る。ＣＳＧエントリ３及びＣＳＧエントリ４は、ＨＰＬＭＮ２０２に関連付けられ得る。更に、ホームＣＳＧリストサーバ（例えば、図２のホームＣＳＧリストサーバ２０８、．．．）は、ＣＳＧエントリ３及びＣＳＧエントリ４を含めるためＵＥ２０６によって保持された許可ＣＳＧリスト２２８を更新し得る。更に、訪問先ＣＳＧリストサーバ（例えば、図２の訪問先ＣＳＧリストサーバ２１６、．．．）は、ＶＰＬＭＮ２０４以外のＰＬＭＮに対応する許可ＣＳＧリスト２２８のエントリを変更できないようにされ得る。従って、訪問先ＣＳＧリストサーバは、図示された例ではＨＰＬＭＮ２０２に関連付けられたＣＳＧエントリ３又はＣＳＧエントリ４を更新できないようにされ得る。
【００６１】
更に、ＶＰＬＭＮ２０４によって保持されたＶＰＬＭＮ許可ＣＳＧリスト２２２は、ＣＳＧエントリ５及びＣＳＧエントリ６を含み得る。ＣＳＧエントリ５及びＣＳＧエントリ６は、ＶＰＬＭＮ２０４に関連付けられ得る。訪問先ＣＳＧリストサーバ（例えば、図２の訪問先ＣＳＧリストサーバ２１６、．．．）は、ＶＰＬＭＮ２０４に関連付けられたＣＳＧエントリ５及びＣＳＧエントリ６を含めるためＵＥ２０６によって保持された許可ＣＳＧリスト２２８を更新し得る。更に、ＣＳＧエントリ５及びＣＳＧエントリ６は、ＶＰＬＭＮ許可ＣＳＧリスト（例えば、図２のＶＰＬＭＮ許可ＣＳＧリスト２３０、．．．）と呼ばれる許可ＣＳＧリスト２２８の一部分を形成し得る。図３で示された例において、ホームＣＳＧリストサーバ（例えば、図２のホームＣＳＧリストサーバ２０８、．．．）は、ＶＰＬＭＮ２０４に対応する許可ＣＳＧリスト２２８のエントリを変更できないようにされ得る（例えば、ＣＳＧエントリ５又はＣＳＧエントリ６、．．．を更新できない）。しかしながら、請求される主題は、図３の例に限定されないことを了解すべきである。
【００６２】
図４を参照すると、ＶＰＬＭＮ自律ＣＳＧローミングをサポートする無線通信環境において、許可ＣＳＧリスト及びオペレータＣＳＧリストを供給する他のシステム４００が図示される。図３で示された例とは対照的に、ＨＰＬＭＮ２０２によって保持される許可ＣＳＧリスト２１４は、異種のＰＬＭＮに関連付けられた１つ又は複数のＣＳＧエントリを含み得る。更に具体的には、許可ＣＳＧリスト２１４は、ＣＳＧエントリ５及びＣＳＧエントリ６を含み得る。ここで、ＣＳＧエントリ５及びＣＳＧエントリ６はＶＰＬＭＮ２０４に関連付けられ得る。更に、ホームＣＳＧリストサーバ（例えば、図２のホームＣＳＧリストサーバ２０８、．．．）は、ＣＳＧエントリ５及び／又はＣＳＧエントリ６を含めるためＵＥ２０６によって保持された許可ＣＳＧリスト２２８を更新し得る。この例を続けると、ＣＳＧエントリ５及びＣＳＧエントリ６は、ＨＰＬＭＮ２０２に関連付けられたオペレータ及び／又はＶＰＬＭＮ２０４に関連付けられたオペレータによって（及び／又はＵＥ２０６によって）更新され得る。
【００６３】
１つの例によれば、ＨＰＬＭＮ２０２のネットワークノード、例えばホーム加入者サーバ（ＨＳＳ）／ホーム位置レジスタ（ＨＬＲ）は、ＨＰＬＭＮ２０２の中にＣＳＧ加入データを記憶し得る。ＨＰＬＭＮ２０２のＨＳＳ／ＨＬＲは、ＨＰＬＭＮ２０２についてＣＳＧ加入データを記憶し、ＶＰＬＭＮ２０４についてＣＳＧ加入データを記憶し得る。ＨＳＳ／ＨＬＲはＣＳＧ加入データを認知し得るが、ＣＳＧ加入データが、オペレータＣＳＧリスト３０２と許可ＣＳＧリスト２１４との間でどのように分割されているのかを認知し得ない。しかし、請求される主題は、これに限定されないことを了解すべきである。
【００６４】
更に、ＰＬＭＮ（例えばＨＰＬＭＮ２０２、ＶＰＬＭＮ２０４、．．．）のネットワークノード、例えば、移動度管理エンティティ（ＭＭＥ）、モバイル・スイッチング・センタ（ＭＳＣ）／訪問者位置レジスタ（ＶＬＲ）、又はサービスしている一般パケット無線サービス（ＧＰＲＳ）サポートノード（ＳＧＳＮ）は、アクセス制御を提供し得る。アクセス制御を提供するこのようなネットワークノードは、自分のＰＬＭＮのＣＳＧ加入情報を認知し得る。例として、ＨＰＬＭＮ２０２のＭＭＥは、ＣＳＧエントリ１、ＣＳＧエントリ２、ＣＳＧエントリ３、及びＣＳＧエントリ４を認知し得るが、ＣＳＧエントリ５又はＣＳＧエントリ６を認知し得ない。更なる例によれば、ＶＰＬＭＮ２０４のＭＭＥは、ＣＳＧエントリ５及びＣＳＧエントリ６を認知し得るが、ＣＳＧエントリ１、ＣＳＧエントリ２、ＣＳＧエントリ３、又はＣＳＧエントリ４を認知し得ない。しかしながら、請求される主題は、前記の例に限定されないことを了解すべきである。
【００６５】
図５へ移ると、無線通信環境でアクセスを制御するシステム５００が図示される。システム５００は、情報、信号、データ、命令、コマンド、ビット（bits）、記号、などを送信及び／又は受信し得るＵＥ２０６を含む。更に、図示されていないが、システム５００は、実質的にＵＥ２０６と類似する任意の数の異種のＵＥを含み得る。ＵＥ２０６は、順方向リンク及び／又は逆方向リンクを介して基地局５０２と通信し得る。基地局５０２は、情報、信号、データ、命令、コマンド、ビット、記号、などを送信及び／又は受信し得る。更に、図示されてはいないが、基地局５０２に類似した任意の数の基地局がシステム５００の中に含められ得ることが想定される。更に、基地局５０２は、任意のタイプの基地局（例えば、フェムトセル基地局、ピコセル基地局、マイクロセル基地局、マクロセル基地局、．．．）であり得ることが想定される。
【００６６】
１つの例によれば、基地局５０２はＣＳＧ基地局であり、閉鎖アクセスモード（closed access mode）で動作し得る。例えば、もし基地局５０２がＣＳＧ基地局であれば、基地局５０２はＣＳＧに関連付けられ、ＣＳＧはＣＳＧ  ＩＤによって識別され得る。ＣＳＧは、例えば、ＣＳＧ  ＩＤによって唯一無二に識別され得る（例えば、全地球的に、．．．）。他の例によれば、ＣＳＧはオペレータネットワークのＣＳＧ  ＩＤによって唯一無二に識別され得る。更に、基地局５０２はＣＳＧ  ＩＤを公示し得る。他の例によれば、システム５００の中に含まれる異種の基地局（図示せず）は、ＣＳＧ基地局、混成基地局、及び／又は開放基地局であり得る。従って、システム５００は、幾つかの基地局が混成基地局であり、他の基地局がＣＳＧ又は開放基地局である基地局混合展開を採用し得る。この例を続けると、ＣＳＧ基地局である異種の基地局は、それぞれのＣＳＧに関連付けられ、それぞれのＣＳＧの各々は、それぞれのＣＳＧ  ＩＤに対応する。
【００６７】
更に、システム５００は１つ又は複数のネットワークノード５０４を含み得る。例えば、ＣＳＧ供給及びアクセス制御のための全世界地上無線アクセスネットワーク（ＵＴＲＡＮ）アーキテクチャが採用され得る。この例を続けると、ネットワークノード５０４は、ＭＳＣ／ＶＬＲ、ＳＧＳＮ、ゲートウェイＧＰＲＳサポートノード（ＧＧＳＮ）、ＨＳＳ／ＨＬＲ、方針及び請求規則機能（ＰＣＲＦ）、などを含み得る。他の例によれば、ＣＳＧ供給及びアクセス制御のための発展全世界地上無線アクセスネットワーク（Ｅ−ＵＴＲＡＮ）アーキテクチャが利用され得る。この例によれば、ネットワークノード５０４は、パケット・データ・ネットワーク・ゲートウェイ（ＰＧＷ）、サービングゲートウェイ（ＳＧＷ）、ＭＭＥ、ＨＳＳ／ＨＬＲ、ＰＣＲＦ、などを含み得る。更に、図示されないが、システム５００はＣＳＧ供給要素、例えば、ＣＳＧリストサーバ（例えば、図２のホームＣＳＧリストサーバ２０８、図２の訪問先ＣＳＧリストサーバ２１６、．．．）、ＣＳＧ管理サーバ、などを含み得る。しかしなから、請求される主題は、前記の例示的アーキテクチャに限定されないことを了解すべきである。
【００６８】
ＵＥ２０６は、許可ＣＳＧリスト２２８及びオペレータＣＳＧリスト３０４を含み得る。許可ＣＳＧリスト２２８及びオペレータＣＳＧリスト３０４は、本明細書で説明されるようにして更新され得る。更に、ＵＥ２０６は選択コンポーネント５０６を含み得る。選択コンポーネント５０６は、ＵＥ２０６の許可ＣＳＧリスト２２８及び／又はオペレータＣＳＧリスト３０４の中に含まれ対応するＣＳＧ  ＩＤを有するＣＳＧに関連付けられたＣＳＧセル（例えば、基地局５０２、．．．に対応する）にアクセスすることを自動的に選択し得る。選択コンポーネント５０６は、手作業又は自動的選択（又は再選択）を実現し得る。手作業ＣＳＧ選択を採用したとき、選択コンポーネント５０６は、利用可能なＣＳＧセルに対応するＣＳＧ  ＩＤが許可ＣＳＧリスト２２８及び／又はオペレータＣＳＧリスト３０４の中に存在するか存在しないかに関係なく、利用可能なＣＳＧセル（例えば、基地局５０２に対応する、異種の基地局（図示せず）に対応する、．．．）を探索し得る。更に、選択コンポーネント５０６は、選択可能な（例えば、アクセスに適切又は受容可能な）利用可能ＣＳＧセルの集合を検出し、利用可能ＣＳＧセルの集合からＵＥ２０６によってアクセスするように選ばれた手作業選択のＣＳＧセルを識別する入力を受信し得る。
【００６９】
図に従って、利用可能ＣＳＧセルを探索するとき、選択コンポーネント５０６は、基地局５０２によって送信され基地局５０２に対応するＣＳＧを識別する公示ＣＳＧ  ＩＤ（例えば、並びに、１つ又は複数の異種の基地局、．．．の公示ＣＳＧ  ＩＤ）を取得し得る。更に、選択コンポーネント５０６は、利用可能ＣＳＧセルの集合から手作業で選択されたＣＳＧセルに関する入力を取得し得る。例えば、入力は、ＵＥ２０６のユーザによって手作業で産出され得る。この例を続けると、選択コンポーネント５０６は、選択のために集合の中の利用可能ＣＳＧセルのリストを表示し（例えば、グラフィカル・ユーザ・インタフェース（ＧＵＩ）、．．．を介して）、表示されたリストに応答して手作業で選択されたＣＳＧセルを識別する入力を受信し得る。しかし、請求される主題は、これに限定されるわけではない。
【００７０】
選択コンポーネント５０６は、手作業又は自動的選択（又は再選択）に基づいて、ＵＥ２０６が基地局５０２へのアクセスを要求することを引き起こし得る。例えば、ＵＥ２０６は、選択コンポーネント５０６によって達成されるように、許可ＣＳＧリスト２２８及び／又はオペレータＣＳＧリスト３０４の中の対応するＣＳＧ  ＩＤを有するＣＳＧに関連付けられたＣＳＧセル（例えば、基地局５０２、．．．）へのアクセスを選択するとき、アタッチ要求メッセージ、デタッチ要求メッセージ、追跡エリア更新要求メッセージ、位置エリア更新要求メッセージ、ルーティングエリア更新要求メッセージ、などを送信し得る。更に、ＵＥ２０６は、送信されたアタッチ要求メッセージ、デタッチ要求メッセージ、追跡エリア更新要求メッセージ、位置エリア更新要求メッセージ、ルーティングエリア更新要求メッセージ、などに応答する受容メッセージ又は拒絶メッセージを受信し得る。
【００７１】
ＵＥ２０６が基地局５０２へのアクセスを要求するとき、ネットワークノード５０４の１つ又は複数は、ＵＥ２０６がこのような基地局５０２へのアクセスを承認されているかどうかを評価し得る。ＵＥ２０６が基地局５０２へのアクセスを承認されているかどうかを評価するネットワークノード５０４の１つ又は複数の少なくとも１つは、アクセス制御コンポーネント５０８を含み得る。例として、アタッチ手順、サービス要求手順、又は追跡／位置／ルーティングエリア更新手順中のアクセス制御のために、ＣＳＧ加入データがＨＳＳ／ＨＬＲの中に永続的に記憶され、ＭＭＥ、ＭＳＣ／ＶＬＲ、及び／又はＳＧＳＮによって検索され得る。ＵＥ２０６がＣＳＧセル（例えば、基地局５０２、．．．）にアクセスするとき、ネットワークノード５０４（例えば、ＭＭＥ、ＳＧＳＮ、ＭＳＣ、．．．）の第１のものに存在するアクセス制御コンポーネント５０８は、ＣＳＧセルのＣＳＧ  ＩＤが、ネットワークノード５０４の第２のもの（例えば、ＨＳＳ／ＨＬＲ、．．．）から検索された加入データの中のＣＳＧ  ＩＤに対応すること、及び、満了時間（もしあれば）が有効に残っていることをチェックし得る。更に、もしＣＳＧ  ＩＤが加入データの中に存在しないか、タイマが満了しているならば、ネットワークノード５０４の第１のもの（例えば、ＭＭＥ、ＳＧＳＮ、ＭＳＣ、．．．）に存在するアクセス制御コンポーネント５０８は、このＣＳＧについてＵＥ２０６が承認されていないことを表示する誤り符号（例えば、誤り符号＃２５、．．．）と一緒に拒絶メッセージをＵＥ２０６へ送信し得る。従って、基地局５０２がＣＳＧセルに関連付けられていると仮定すれば、ネットワークノード５０４のアクセス制御コンポーネント５０８は、ＣＳＧセル（例えば、基地局５０２、．．．）によって公示されたＣＳＧ  ＩＤ及びネットワーク内に記憶されたＵＥ２０６のＣＳＧ加入データに基づきアクセス制御を遂行し得る。
【００７２】
ここで図６を参照すると、無線通信環境においてＵＥでＣＳＧ加入データを管理するシステム６００が図示される。システム６００は、ＵＥ２０６及びＰＬＭＮ６０２（図２のＨＰＬＭＮ２０２、図２のＶＰＬＭＮ２０４、．．．）を含む。ＵＥ２０６は、アクセスコンポーネント２２４及びリスト管理コンポーネント２２６を含み得る。更に、ＣＳＧ加入データは、ＵＥ２０６によって保持される許可ＣＳＧリスト２２８及び／又はオペレータＣＳＧリスト３０４の中に含められ得る。
【００７３】
ＰＬＭＮ６０２は、ＣＳＧリストサーバ６０４（例えば、図２のホームＣＳＧリストサーバ２０８、図２の訪問先ＣＳＧリストサーバ２１６、．．．）を更に含み得る。ＣＳＧリストサーバ６０４は、初期化コンポーネント６０６（例えば、図２の初期化コンポーネント２１０、図２の初期化コンポーネント２１８、．．．）及び更新コンポーネント６０８（例えば、図２の更新コンポーネント２１２、図２の更新コンポーネント２２０、．．．）を含み得る。更に、ＣＳＧリストサーバ６０４は、供給制御コンポーネント６１０及び能力識別コンポーネント６１２を含み得る。
【００７４】
更新コンポーネント６０８は、ＵＥ２０６によって保持されたＣＳＧ加入データを更新し得る。更新コンポーネント６０８は、ＵＥ２０６によって記憶されたオペレータＣＳＧリスト３０４及び／又はＵＥ２０６によって記憶された許可ＣＳＧリスト２２８を更新し得る。更新コンポーネント６０８はＯＭＡ  ＤＭ手順及び／又はＯＴＡ手順を採用して、オペレータＣＳＧリスト３０４及び／又は許可ＣＳＧリスト２２８を更新し得る。
【００７５】
更に、供給制御コンポーネント６１０は、更新コンポーネント６０８がオペレータＣＳＧリスト３０４及び／又は許可ＣＳＧリスト２２８を更新するとき、どの手順（例えば、ＯＭＡ  ＤＭ手順及び／又はＯＴＡ手順、．．．）が更新コンポーネント６０８によって利用され得るかを管理し得る。１つの例によれば、供給制御コンポーネント６１０は、更新コンポーネント６０８にＯＴＡ手順を使用してオペレータＣＳＧリスト３０４を更新させ、更新コンポーネント６０８にＯＭＡ  ＤＭ手順又はＯＴＡ手順を使用して許可ＣＳＧリスト２２８を更新させ得る。他の例によれば、供給制御コンポーネント６１０は、更新コンポーネント６０８にＯＭＡ  ＤＭ手順又はＯＴＡ手順を使用してオペレータＣＳＧリスト３０４を更新させ、更新コンポーネント６０８にＯＭＡ  ＤＭ手順又はＯＴＡ手順を使用して許可ＣＳＧリスト２２８を更新させ得る。
【００７６】
例を挙げると、供給制御コンポーネント６１０が、オペレータＣＳＧリスト３０４を更新するためＯＴＡ手順を使用することを更新コンポーネント６０８に許可したとき、更新コンポーネント６０８は、オペレータＣＳＧリスト３０４を更新するＵＥ２０６へＯＴＡ送信を送信し得る。この例を続けると、ＯＴＡ送信は、オペレータＣＳＧリスト３０４がＵＥ２０６のＵＳＩＭの上に記憶されているときオペレータＣＳＧリスト３０４を更新するために使用され得る。
【００７７】
更に例を挙げると、更新コンポーネント６０８がオペレータＣＳＧリスト３０４を更新するためＯＭＡ  ＤＭ手順を使用することを供給制御コンポーネント６１０が許可したとき、更新コンポーネント６０８は、オペレータＣＳＧリスト３０４を更新するＵＥ２０６へＯＭＡ  ＤＭ送信を送信し得る。この例によれば、ＯＭＡ  ＤＭ送信は、オペレータＣＳＧリスト３０４がＵＥ２０６のモバイル機器（ＭＥ）の上に記憶されているときオペレータＣＳＧリスト３０４を更新するために使用され得る。
【００７８】
更に、能力識別コンポーネント６１２は、ＵＥ２０６のタイプ及びＵＥ２０６のＵＳＩＭ（図示せず）のタイプを認識し得る。例えば、能力識別コンポーネント６１２は、ＵＥ２０６が先進ＵＥであるか（例えば、リリース９のＵＥ、．．．）、レガシーＵＥであるか（例えば、リリース８のＵＥ、プレリリース９のＵＥ、．．．）を識別し得る。更に、能力識別コンポーネント６１２は、ＵＥ２０６のＵＳＩＭが先進ＵＳＩＭであるか（例えば、リリース９のＵＳＩＭ、．．．）、レガシーＵＳＩＭであるか（例えば、リリース８のＵＳＩＭ、プレリリース９のＵＳＩＭ、．．．）を識別し得る。
【００７９】
能力識別コンポーネント６１２によって識別されたように、ＵＥ２０６の認識されたタイプ及びＵＥ２０６のＵＳＩＭの認識されたタイプに基づき、供給制御コンポーネント６１０は、オペレータＣＳＧリスト３０４又は許可ＣＳＧリスト２２８の少なくとも１つを更新することを選択し得る。例えば、供給制御コンポーネント６１０は、ＵＥ２０６のタイプが能力識別コンポーネント６１２によってレガシーＵＥであると認識されたとき、ＯＴＡ手順又はＯＭＡ  ＤＭ手順を使用して許可ＣＳＧリスト２２８を更新することを選択し得る。
【００８０】
他の例によれば、供給制御コンポーネント６１０は、ＵＥ２０６のタイプが能力識別コンポーネント６１２によって先進ＵＥであると認識され、ＵＥ２０６のＵＳＩＭのタイプが能力識別コンポーネント６１２によってレガシーＵＳＩＭであると認識されたとき、ＯＴＡ手順又はＯＭＡ  ＤＭ手順を使用して許可ＣＳＧリスト２２８を更新することを選択し得る。この例を続けると、供給制御コンポーネント６１０は、ＵＥ２０６のタイプが能力識別コンポーネント６１２によって先進ＵＥであると認識され、ＵＥ２０６のＵＳＩＭのタイプが能力識別コンポーネント６１２によってレガシーＵＳＩＭであると認識されたとき、ＯＭＡ  ＤＭ手順を使用してオペレータＣＳＧリスト３０４を更新することを選択し得る。
【００８１】
更に例を挙げると、供給制御コンポーネント６１０は、ＵＥ２０６のタイプが能力識別コンポーネント６１２によって先進ＵＥであると認識され、ＵＥ２０６のＵＳＩＭのタイプが能力識別コンポーネント６１２によって先進ＵＳＩＭであると認識されたとき、ＯＴＡ手順を使用してオペレータＣＳＧリスト３０４を更新し、ＯＴＡ手順又はＯＭＡ  ＤＭ手順を使用して許可ＣＳＧリスト２２８を更新することを選択し得る。この例によれば、オペレータＣＳＧリスト３０４はＵＥ２０６のＵＳＩＭへ書き込まれ得る。
【００８２】
更に他の例によれば、供給制御コンポーネント６１０は、ＵＥ２０６のタイプが能力識別コンポーネント６１２によって先進ＵＥであると認識され、ＵＥ２０６のＵＳＩＭのタイプが能力識別コンポーネント６１２によって先進ＵＳＩＭであると認識されたとき、ＯＭＡ  ＤＭ手順を使用してオペレータＣＳＧリスト３０４を更新し、ＯＴＡ手順又はＯＭＡ  ＤＭ手順を使用して許可ＣＳＧリスト２２８を更新することを選択し得る。この例を続けると、オペレータＣＳＧリスト３０４はＵＥ２０６のＭＥへ書き込まれ得る。
【００８３】
図７は、ネットワーク環境内のアクセスポイント基地局（例えば、フェムトセル基地局、．．．）の展開を可能にする例示的通信システム７００を図示する。図７で示されるように、システム７００は、アクセスポイント基地局、ホーム発展ノードＢユニット（ＨｅＮＢ）、ホームノードＢユニット（ＨＮＢ）、フェムトセル、などと呼ばれ得る複数のフェムトセル基地局を含む。例えば、フェムトセル基地局（ＨｅＮＢ７１０）の各々は、対応する小規模ネットワーク環境、例えば、１つ又は複数のユーザ居宅７３０の中に設置され、関連付けられた異質のＵＥ７２０にサービスするように構成され得る。各ＨｅＮＢ７１０は、ＤＳＬルータ（図示せず）又は代替としてケーブルモデム（図示せず）を介してインターネット７４０及びモバイル・オペレータ・コア・ネットワーク７５０へ更に結合される。
【００８４】
本明細書で説明される実施形態は３ＧＰＰ用語を使用するが、実施形態は３ＧＰＰ（Ｒｅｌ９９、Ｒｅｌ５、Ｒｅｌ６、Ｒｅｌ７）技術、並びに３ＧＰＰ２（１ｘＲＴＴ、１ｘＥＶ−ＤＯ  Ｒｅｌ０、ＲｅｖＡ、ＲｅｖＢ）技術及び他の公知及び関連技術へ適用されてもよいことを理解すべきである。本明細書で説明されるこのような実施形態において、ＨｅＮＢ７１０の所有者は、モバイル・オペレータ・コア・ネットワーク７５０を介して提供される移動サービス、例えば３Ｇ移動サービスなどへ加入し、ＵＥ７２０は、マクロセル基地局７６０を介するマクロセル環境及び居宅小規模ネットワーク環境の双方で動作し得る。従って、ＨｅＮＢ７１０は、既存のＵＥ７２０に対して後方互換性を有し得る。ＨｅＮＢ７１０は、ＣＳＧ  ＨｅＮＢ、混成ＨｅＮＢ、及び／又は開放ＨｅＮＢを含み得ることが想定される。
【００８５】
ここで図８を参照すると、無線通信環境における閉鎖加入者グループ（ＣＳＧ）サポートを提供する例示的システム８００が図示される。システム８００は、ＨｅＮＢ８０２（例えば、図７のＨｅＮＢ７１０、図５の基地局５０２、．．．）と一緒に利用され得る例示的アーキテクチャモデルを表現している。しかしながら、本明細書に添付された特許請求の範囲には、異種のアーキテクチャモデルも入るように意図されている。例えば、図示されてはいないが、請求される主題の範囲には、ＨＮＢ、マクロセル基地局、又は任意の他のタイプの基地局を用いるＣＳＧの利用をサポートする異種のアーキテクチャが入るように意図されている。
【００８６】
例を挙げれば、ＨｅＮＢ８０２はユーザの敷地に置かれ得る。しかしながら、請求される主題は、これに限定されない。ＨｅＮＢ８０２は、Ｅ−ＵＴＲＡＮ  ｅＮＢ機能並びにＨｅＮＢ認証サポート機能、ＨｅＮＢ登録、及び運用及びメンテナンス（ＯＡＭ）によるＨｅＮＢ構成を提供し得る。
【００８７】
ＨｅＮＢ８０２は、システム８００におけるコアネットワーク（例えば、発展パケットコア（ＥＰＣ）、．．．）の様々なノード（例えば、図５のネットワークノード５０４、．．．）と直接又は間接に通信し得る。例えば、コアネットワークのノードは、ＰＧＷ８０４、ＳＧＷ８０６、ＭＭＥ８０８、及びＨＳＳ８１０を含み得る。図示されていないが、システム８００は、１つを超えるＰＧＷ８０４、ＳＧＷ８０６、ＭＭＥ８０８、及び／又はＨＳＳ８１０を含み得ることが想定される。
【００８８】
ＰＧＷ８０４は、外部パケット・データ・ネットワーク（ＰＤＮ）、例えばインターネット８１２及び／又はＩＰマルチメディアサブシステム（ＩＭＳ）８１４とインタフェースし得る。更に、表現されてはいないが、ＰＧＷ８０４は、追加的又は代替的に、イントラネット又は異種のＰＤＮとインタフェースし得る。ＰＧＷ８０４は、例えば、アドレスの割り振り、方針の実施、パケットの分類及びルーティング、などを処理し得る。
【００８９】
ＳＧＷ８０６はユーザ次元に関連付けられ、移動度のアンカーポイントである。ＳＧＷ８０６は、（例えば、ＵＥ８１６を使用している）ユーザの、サービスしている基地局（例えば、ＨｅＮＢ８０２、異種のＨｅＮＢ、異なるｅＮＢ、．．．）をポイントする。従って、異なる基地局へハンドオフしたとき、ＳＧＷ８０６は、異なる基地局を再ポイントし得る。更に、ＳＧＷ８０６は、所与の時点でＵＥ８１６にサービスしている適当な基地局（例えば、ＨｅＮＢ８０２、．．．）へデータをルーティングさせ得る。
【００９０】
ＭＭＥ８０８は制御次元に関連付けられる。ＭＭＥ８０８は、移動度、サービス品質（ＱｏＳ）の初期化、ユーザ認証、などについて制御次元シグナリングをサポートし得る。更に、ＨＳＳ８１０は、様々な加入情報、例えば、電話番号、プロフィール、などを記憶し得る。
【００９１】
システム８００は、ノード間の様々なインタフェースを含む。例えば、Ｓ６ａインタフェースはＭＭＥ８０８とＨＳＳ８１０とを接続し、Ｓ５／Ｓ８インタフェースはＳＧＷ８０６とＰＧＷ８０４とを接続し得る。更に、Ｓ１−ＵインタフェースはＨｅＮＢ８０２とＳＧＷ８０６とを接続し、Ｓ１１インタフェースはＳＧＷ８０６とＭＭＥ８０８とを結合し、Ｓ１−ＭＭＥインタフェースはＨｅＮＢ８０２とＭＭＥ８０８とを接続し得る。追加的に、ＰＧＷ８０４は、それぞれのＳＧｉインタフェースを介してＰＤＮ（例えば、インターネット８１２、ＩＭＳ８１４、．．．）へ接続し、ＨｅＮＢ８０２とＵＥ８１６とはＥ−ＵＴＲＡ−Ｕｕインタフェースを介して結合され得る。更に、ＭＭＥ８０８は他のＭＭＥ（図示せず）へのＳ１０インタフェースと関連付けられ得る。
【００９２】
ＨＳＳ８１０は、更に、ＣＳＧ供給ネットワーク要素、即ちＣＳＧ管理サーバ８１８及びＣＳＧリストサーバ８２０へ直接又は間接に接続し得る。ＣＳＧ管理サーバ８１８はＣＳＧ管理機能をサポートし得る。ＣＳＧ管理機能は、ＣＳＧの加入者のリスト（例えば、ＣＳＧのアクセス制御リスト、・・・）を管理するために利用され得る。例えば、ＨｅＮＢ８０２の所有者は、インタフェース（例えば、ＧＵＩ、ウェブサイト、．．．）を介してＣＳＧ管理サーバ８１８と対話し、ＨｅＮＢ８０２に関連付けられたＣＳＧへユーザを追加するか除去し得る。このような変更に基づき、ＣＳＧ管理サーバ８１８はＨＳＳ８１０を更新し、ユーザの加入情報を、修正されたように調整する。
【００９３】
更に、ＣＳＧリストサーバ８２０は、ＵＥ８１６（及び／又は任意の異種のＵＥ（図示せず））についてホワイトリスト（ＷＬ）（例えば、図２の許可ＣＳＧリスト２２８、図３のオペレータＣＳＧリスト３０４、．．．）を管理するために利用されるＵＥ  ＣＳＧ供給機能を提供する。ＣＳＧリストサーバ８２０は、ＵＥ８１６が特定のグループ（例えば、特定のＣＳＧ、．．．）のメンバーであることをＵＥ８１６に通知し得る。更に、ＣＳＧ管理サーバ８１８によって加入が更新されたとき、ＨＳＳ８１０は更新に対応する加入情報を記憶し得る。更に、ＨＳＳ８１０における加入情報の更新は、メッセージがＣＳＧリストサーバ８２０へ転送される誘因となり得る。これは、ＣＳＧリストサーバ８２０がＯＭＡ  ＤＭプロセス又はＯＴＡプロセスを利用して、修正された加入情報をＵＥ８１６へダウンリンクすることを引き起こし得る。こうして、ＣＳＧリストサーバ８２０は、ＨＳＳ８１０及びＵＥ８１６によって保持された（例えば、ＵＥ８１６のメモリの中に記憶された、ＵＥ８１６に関連付けられた加入者識別モジュール（ＳＩＭ）又はＵＳＩＭの上に保持された、．．．）加入情報の調整を可能にし得る。
【００９４】
ＣＳＧをサポートするため、ＵＥ８１６とコアネットワーク要素との間の様々な論理ネットワークプロトコル機能が、システム８００の中で達成され得る。論理ネットワークプロトコル機能は、例えば、ＵＥ  ＣＳＧ供給機能、アクセス制御機能、移動度管理機能、及びＣＳＧ管理機能を含み得る。
【００９５】
ＵＥ  ＣＳＧ供給機能は、ＵＥ８１６についてホワイトリストを管理し得る。ホワイトリストはＣＳＧ  ＩＤのリストである。ＵＥ８１６は、ホワイトリストの中に含まれるＣＳＧ  ＩＤを有するＣＳＧセルにアクセスし得る。ホワイトリストは、アクセス制御を遂行するためネットワーク内に記憶され、アクセスされるセルの選択を可能にするためＵＥ８１６によって記憶され得る。ネットワーク内のホワイトリストは、ＨＳＳ８１０の中に永続的に記憶され、アタッチ、デタッチ、サービス要求、及び追跡エリア更新手順中のアクセス制御のためにＭＭＥ８０８によって検索され得る。ＵＥ８１６におけるホワイトリストは、このようなＵＥ８１６のＵＳＩＭ又はＵＥ８１６のメモリに記憶され得る。
【００９６】
アクセス制御機能は、ＵＥがアクセスを遂行するＣＳＧで有効な加入をＵＥが有することを保証し得る。ＭＭＥ８０８は、アタッチ、デタッチ、サービス要求、及び追跡エリア更新手順中にＣＳＧセルを介してネットワークにアクセスしつつあるＵＥ８１６についてアクセス制御を遂行し得る。更に、ＭＭＥ８０８は、ＵＥ８１６がアタッチ、サービス要求、及び／又は追跡エリア更新手順についてＣＳＧ内で許されていないことを認識したとき、非アクセス階層（ＮＡＳ）シグナリング応答の中に拒絶理由値を含め得る。
【００９７】
更に、ＵＥ８１６の現在の位置を追跡するため、移動度管理機能が使用され得る。アイドル状態におけるＵＥ８１６の位置は、追跡エリアリストの精度でネットワークによって知られ得る。従って、アイドル状態にあるとき、ＵＥ８１６は、最後の追跡エリア更新で受信された追跡エリアリストの全セルの中でページング（paged）され得る。
【００９８】
更に、ＣＳＧ管理機能は、ＣＳＧについて加入者のリストを管理し得る。ＣＳＧ管理機能は、オペレータ又は第３者によってホストされ得る（hosted）。例えば、単一のリストが、ＣＳＧについてＨｅＮＢを制御し得る。更に、同じＣＳＧ  ＩＤを公示しつつあるＨｅＮＢは、加入者の単一のリストを有し得る。
【００９９】
上記で注意したように、ＨＳＳ８１０はＣＳＧ加入情報を永続的に保持し得る。更に、ＣＳＧ加入情報は、ＵＥ８１６の加入プロフィールの一部分として、アタッチ手順又は追跡エリア更新手順中にＭＭＥ８０８によって検索され得る。ＭＭＥ８０８は、検索されたＣＳＧ加入情報を利用して、アクセス制御を遂行し得る。例えば、ＭＭＥ８０８はアクセス制御を遂行し得る。というのは、アクセス制御はＮＡＳレベルの手順であり、ＭＭＥ８０８はコアネットワーク内のＮＡＳエンドポイントだからである。更に、ＭＭＥ８０８はＵＥ８１６についてホワイトリストのコピーを取得及び記憶し得る（例えば、ホワイトリストはユーザの加入情報の一部分として保持され得る、．．．）。更に、ＭＭＥ８０８は、アクセス制御を達成するため、ＵＥ８１６がアクセスを遂行しつつあるＣＳＧセルのＣＳＧ  ＩＤを知り得る。
【０１００】
本明細書ではＮＡＳで遂行されるものとして説明されるが、ＣＳＧのアクセス制御は、アクセス階層（ＡＳ）で実現され得ることが想定される。ＡＳでのアクセス制御は、ＨｅＮＢ８０２の無線ネットワークコントローラ（ＲＮＣ）機能（又は、ＨｅＮＢゲートウェイ（図示せず）の関連機能）の中で実現され得る。しかしながら、請求される主題は、これに限定されるわけではないことを了解すべきである。
【０１０１】
図９〜図１２を参照すると、無線通信環境におけるＶＰＬＭＮ自律ＣＳＧローミングのサポートに関する方法が図示される。説明を簡単にするため、方法は一連の行為として図示及び説明されるが、方法は行為の順序によって限定されないことを理解及び了解すべきである。というのは、１つ又は複数の実施形態によれば、幾つかの行為は、本明細書で図示及び説明される順序とは異なる順序で起こってもよく、及び／又は他の行為と同時に起こってもよいからである。例えば、方法は状態図の中で一連の相互関連状態又は事象として代替的に表現され得ることを、当業者は理解及び了解するであろう。更に、１つ又は複数の実施形態によれば、図示された行為の全てが方法の実現に要求されるわけではない。
【０１０２】
図９へ移ると、ＶＰＬＭＮ自律ＣＳＧローミングサポートを提供するため、無線通信環境におけるＣＳＧ加入データの収集を容易にする方法９００が示される。９０２において、訪問先公衆陸上モバイルネットワーク（ＶＰＬＭＮ）に関連付けられた閉鎖加入者グループ（ＣＳＧ）リストサーバがアクセスされ得る。例えば、ＶＰＬＭＮに関連付けられたＣＳＧリストサーバは、ＵＥがＶＰＬＭＮ内の基地局へ接続されたときにアクセスされ得る。他の例として、ＶＰＬＭＮに関連付けられたＣＳＧリストサーバは、ＵＥがホーム公衆陸上モバイルネットワーク（ＨＰＬＭＮ）内の基地局へ接続されたときアクセスされ得る。例に従えば、ＶＰＬＭＮに関連付けられたＣＳＧリストサーバは、訪問先ＣＳＧリストサーバであり得る。
【０１０３】
９０４において、ＶＰＬＭＮに関連付けられたＣＳＧリストサーバから、ＶＰＬＭＮ許可ＣＳＧリストが受信され得る。ＶＰＬＭＮ許可ＣＳＧリストは、例えば、開放モバイル同盟デバイス管理（ＯＭＡ  ＤＭ）手順を介して、ＶＰＬＭＮに関連付けられたＣＳＧリストサーブドから受信され得る。更に、ＶＰＬＭＮに関連付けられたＣＳＧリストサーバとの信頼関係が確立され得る。例えば、一般ブートストラップアーキテクチャ（ＧＢＡ）手順を使用して、ＶＰＬＭＮに関連付けられたＣＳＧリストサーバとの信頼関係が確立され得る。他の例によれば、公開鍵暗号化標準（ＰＫＣＳ）証明書に基づくメカニズムを使用して、ＶＰＬＭＮに関連付けられたＣＳＧリストサーバとの信頼関係が確立され得る。更なる例によれば、ＶＰＬＭＮに関連付けられたＣＳＧリストサーバとの信頼関係を確立するため、ＣＳＧリストサーバとのネゴシエーションを介して、利用されるべき手法（例えば、ＧＢＡ手順、ＰＫＣＳ証明書に基づくメカニズム、．．．）が選択され得る。
【０１０４】
９０６において、ＶＰＬＭＮの中にＵＥを供給するため、ＶＰＬＭＮ許可ＣＳＧリストが許可ＣＳＧリストの一部分としてユーザ機器（ＵＥ）に記憶され得る。ＶＰＬＭＮ許可ＣＳＧリストは、ＶＰＬＭＮに関連付けられた１つ又は複数のエントリを備え、許可ＣＳＧリストは少なくとも１つのオペレータ及びＵＥの制御のもとにあり得る。例えば、ＣＳＧリストサーバに関連付けられたＶＰＬＭＮの許可ＣＳＧリストのエントリは、ＶＰＬＭＮ許可ＣＳＧリストを受信したとき更新され得る。許可ＣＳＧリストは、例えば、公衆陸上モバイルネットワーク（ＰＬＭＮ）識別子、ＣＳＧ識別子、ホームノードＢ名、ＣＳＧタイプ、これらの組み合わせ、などを含み得る。
【０１０５】
１つの例によれば、ＶＰＬＭＮに関連付けられたＣＳＧリストサーバのアイデンティティが、公衆陸上モバイルネットワーク（ＰＬＭＮ）特定完全記述ドメイン名（ＦＱＤＮ）に基づき決定され得る。更に、ＵＥは、ＶＰＬＭＮに関連付けられたＣＳＧリストサーバのアイデンティティの関数として、許可ＣＳＧリストのエントリを更新するかどうかを選択し得る。
【０１０６】
他の例によれば、ホーム公衆陸上モバイルネットワーク（ＨＰＬＭＮ）は、ＶＰＬＭＮについて許可ＣＳＧリストのエントリを更新し得る。更に、許可ＣＳＧリストのＶＰＬＭＮに関連付けられた１つ又は複数のエントリは、ＵＥ、ＶＰＬＭＮに関連付けられた訪問先オペレータ、及びホームオペレータの制御のもとにあり得る。更に、許可ＣＳＧリストの、ＶＰＬＭＮ以外の異種の公衆陸上モバイルネットワーク（ＰＬＭＮ）に関連付けられた異種の１つ又は複数のエントリは、ＶＰＬＭＮに関連付けられた訪問先オペレータによる更新を禁止され得る。
【０１０７】
ここで図１０を参照すると、ＶＰＬＭＮ自律ＣＳＧローミングサポートを提供するため、無線通信環境における許可ＣＳＧリストの供給を容易にする方法１０００が示される。１００２において、異なる公衆陸上モバイルネットワーク（ＰＬＭＮ）に関連付けられたユーザ機器（ＵＥ）との信頼関係が確立され得る。例えば、ＵＥがＶＰＬＭＮの基地局へ接続されたとき、ＵＥとの信頼関係が確立され得る。他の例として、ＵＥがホーム公衆陸上モバイルネットワーク（ＨＰＬＭＮ）の基地局へ接続されたとき、ＵＥとの信頼関係が確立され得る。更に他の例によれば、一般ブートストラップアーキテクチャ（ＧＢＡ）手順を使用して、ＵＥとの信頼関係が確立され得る。更なる例によれば、公開鍵暗号化標準（ＰＫＣＳ）証明書に基づくメカニズムを使用して、ＵＥとの信頼関係が確立され得る。更に他の例によれば、ＵＥとの信頼関係を確立するため、ＵＥとのネゴシエーションを介して、利用されるべき手法（例えば、ＧＢＡ手順、ＰＫＣＳ証明書に基づくメカニズム、．．．）が選択され得る。
【０１０８】
１００４において、ＵＥによって記憶されＶＰＬＭＮに関連付けられた訪問先公衆陸上モバイルネットワーク（ＶＰＬＭＮ）許可閉鎖加入者グループ（ＣＳＧ）リストが更新され得る。ＶＰＬＭＮ許可ＣＳＧリストは、少なくとも１つのオペレータ及びＵＥの制御のもとにある許可ＣＳＧリストの一部分であり得る。更に、ＶＰＬＭＮ許可ＣＳＧリストは、ＶＰＬＭＮに関連付けられた１つ又は複数のエントリを備え得る。例えば、ＶＰＬＭＮに関連付けられたＶＰＬＭＮ許可ＣＳＧリストは、開放モバイル同盟デバイス管理（ＯＭＡ  ＤＭ）手順を使用してＵＥへ送信され得る。許可ＣＳＧリストは、例えば、公衆陸上モバイルネットワーク（ＰＬＭＮ）識別子、ＣＳＧ識別子、ホームノードＢ名、ＣＳＧタイプ、これらの組み合わせ、などを含み得る。
【０１０９】
更に、ＶＰＬＭＮの許可ＣＳＧリストのエントリが更新され得る。他の例によれば、ホーム公衆陸上モバイルネットワーク（ＨＰＬＭＮ）は、ＶＰＬＭＮについて許可ＣＳＧリストのエントリを更新し得る。更に、許可ＣＳＧリストのＶＰＬＭＮに関連付けられた１つ又は複数のエントリは、ＵＥ、ＶＰＬＭＮに関連付けられた訪問先オペレータ、及びホームオペレータの制御のもとにあり得る。他の例によれば、許可ＣＳＧリストのＶＰＬＭＮ以外の異種のＰＬＭＮに関連付けられた１つ又は複数のエントリは、ＶＰＬＭＮに関連付けられた訪問先オペレータによる更新を禁止され得る。
【０１１０】
図１１を参照すると、無線通信環境におけるＣＳＧ加入データの供給を容易にする方法１１００が示される。１１０２において、ユーザ機器（ＵＥ）によって記憶されたオペレータ閉鎖加入者グループ（ＣＳＧ）リストが更新され得る。オペレータＣＳＧリストは、ＵＥのみによって読み取られ、オペレータによって制御され得る。１１０４において、ＵＥによって記憶された許可ＣＳＧリストが更新され得る。ＵＥは、許可ＣＳＧリストについて読み取り及び書き込みの認可を有し得る。
【０１１１】
１つの例によれば、オペレータＣＳＧリストは、オーバ・ザ・エア（ＯＴＡ）手順を使用して更新され得る。この例を続けると、許可ＣＳＧリストは、開放モバイル同盟デバイス管理（ＯＭＡ  ＤＭ）手順及び／又はＯＴＡ手順を使用して更新され得る。
【０１１２】
他の例によれば、オペレータＣＳＧリストは、オーバ・ザ・エア（ＯＴＡ）手順及び／又は開放モバイル同盟デバイス管理（ＯＭＡ  ＤＭ）手順を使用して更新され得る。この例によれば、許可ＣＳＧリストは、ＯＭＡ  ＤＭ手順及び／又はＯＴＡ手順を使用して更新され得る。
【０１１３】
他の例によれば、ＯＭＡ  ＤＭ送信は、ＵＥのモバイル機器（ＭＥ）に記憶されたオペレータＣＳＧリストを更新するＵＥへ送信され得る。他の例によれば、オペレータＣＳＧリストは、オペレータＣＳＧリストがオペレータＣＳＧリストを作成した当局の制御のもとにあることを具体的に示すアクセス条件を規定され得る。更なる例によれば、オペレータＣＳＧリスト及び／又は許可ＣＳＧリストは、公衆陸上モバイルネットワーク（ＰＬＭＮ）識別子、ＣＳＧ識別子、ホームノードＢ名、及び／又はＣＳＧタイプの１つ又は複数を含むように更新され得る。
【０１１４】
他の例によれば、ＵＥのタイプ及びＵＥの汎用加入者識別モジュール（ＵＳＩＭ）のタイプが認識され得る。この例を続けると、オペレータＣＳＧリスト及び許可ＣＳＧリストの少なくとも１つを更新する選択は、ＵＥのタイプ及びＵＳＩＭのタイプの関数として達成され得る。例として、ＵＥのタイプがレガシーＵＥであると認識されたとき、ＯＴＡ手順又はＯＭＡ  ＤＭ手順の少なくとも１つを使用して更新されるように許可ＣＳＧリストが選択され得る。他の例によれば、ＵＥのタイプが先進ＵＥであると認識され、ＵＥのＵＳＩＭのタイプがレガシーＵＳＩＭであると認識されたとき、ＯＴＡ手順又はＯＭＡ  ＤＭ手順の少なくとも１つを使用して更新されるように許可ＣＳＧリストが選択され得る。この例を続けると、ＵＥのタイプが先進ＵＥであると認識され、ＵＥのＵＳＩＭのタイプがレガシーＵＳＩＭであると認識されたとき、ＯＭＡ  ＤＭ手順を使用して更新されるようにオペレータＣＳＧリストが選択され得る。更に他の例によれば、ＵＥのタイプが先進ＵＥであると認識され、ＵＥのＵＳＩＭのタイプが先進ＵＳＩＭであると認識されたとき、ＯＴＡ手順を使用して更新されるようにオペレータＣＳＧリストが選択され、ＯＴＡ手順又はＯＭＡ  ＤＭ手順の少なくとも１つを使用して更新されるように許可ＣＳＧリストが選択され得る。この場合、オペレータＣＳＧリストはＵＥのＵＳＩＭへ書き込まれ得る。更なる例によれば、ＵＥのタイプが先進ＵＥであると認識され、ＵＥのＵＳＩＭのタイプが先進ＵＳＩＭであると認識されたとき、ＯＭＡ  ＤＭ手順を使用して更新されるようにオペレータＣＳＧリストが選択され、ＯＴＡ手順又はＯＭＡ  ＤＭ手順の少なくとも１つを使用して更新されるように許可ＣＳＧリストが選択され得る。この場合、オペレータＣＳＧリストはＵＥのモバイル機器（ＭＥ）へ書き込まれ得る。
【０１１５】
図１２を参照すると、無線通信環境におけるＣＳＧ加入データの検索を容易にする方法１２００が図示される。１２０２において、オペレータ閉鎖加入者グループ（ＣＳＧ）リストがＣＳＧリストサーバから受信され得る。１２０４において、許可ＣＳＧリストがＣＳＧリストサーバから受信され得る。１２０６において、オペレータＣＳＧリストは、ユーザ機器（ＵＥ）に記憶され得る。オペレータＣＳＧリストは、オペレータによってのみ読み取られ制御され得る。更に、オペレータＣＳＧリストは、オペレータＣＳＧリストがオペレータＣＳＧリストを作成した当局の制御のもとにあることを具体的に示すアクセス条件を規定され得る。１２０８において、許可ＣＳＧリストがＵＥに記憶され得る。許可ＣＳＧリストは、オペレータ及びＵＥの制御のもとにあり得る。更に、オペレータＣＳＧリスト及び／又は許可ＣＳＧリストは、公衆陸上モバイルネットワーク（ＰＬＭＮ）識別子、ＣＳＧ識別子、ホームノードＢ名、及び／又はＣＳＧタイプの又は複数を含むように更新され得る。
【０１１６】
１つの例によれば、オペレータＣＳＧリストはオーバ・ザ・エア（ＯＴＡ）手順を介してＣＳＧリストサーバから受信され得る。この例を続けると、許可ＣＳＧリストは開放モバイル同盟デバイス管理（ＯＭＡ  ＤＭ）手順及び／又はＯＴＡ手順を介してＣＳＧリストサーバから受信され得る。
【０１１７】
他の例によれば、オペレータＣＳＧリストはＯＴＡ手順及び／又はＯＭＡ  ＤＭ手順を介してＣＳＧリストサーバから受信され、許可ＣＳＧリストはＯＴＡ手順及び／又はＯＭＡ  ＤＭ手順を介してＣＳＧリストサーバから受信され得る。
【０１１８】
例えば、オペレータＣＳＧリストはＯＴＡ手順を介してＣＳＧリストサーバから受信され、オペレータＣＳＧリストはＵＥの汎用加入者識別モジュール（ＵＳＩＭ）に記憶され得る。他の例によれば、オペレータＣＳＧリストはＯＭＡ  ＤＭ手順を介してＣＳＧリストサーバから受信され、オペレータＣＳＧリストはＵＥのモバイル機器（ＭＥ）に記憶され得る。
【０１１９】
本明細書で説明される１つ又は複数の態様によれば、無線通信環境におけるＶＰＬＭＮ自律ＣＳＧローミングをサポートするためＣＳＧ加入データを供給することに関して、推論が行われ得ることが了解されるであろう。本明細書で使用される場合、「推論する」又は「推論」とは、事象及び／又はデータを介して捕捉された観察の集合から、システム、環境、及び／又はユーザの状態を判断又は推論するプロセスを一般的に意味する。推論は、特定のコンテキスト又は行動を識別するために採用され、又は、例えば、状態の確率分布を生成し得る。推論は確率的であり得る。即ち、推論は、データ及び事象の考察に基づき関心事の状態の確率分布を計算することであり得る。推論は、事象及び／又はデータの集合から、より高いレベルの事象を組み立てるために採用される手法を更に意味し得る。このような推論は、観察された事象及び／又は記憶された事象データの集合から、新しい事象又は行動の構築を生じる。この場合、事象が密接な時間的近接度で相関されているかどうか、事象及びデータが１つ又は複数の事象及びデータソースから来るかどうかは問題にされない。
【０１２０】
図１３を参照すると、無線通信環境におけるＣＳＧ加入データの取得を可能にするシステム１３００が示される。例えば、システム１３００は、ＵＥの内部に存在し得る。システム１３００は、機能ブロックを含むように表現されていることを了解すべきである。機能ブロックは、プロセッサ、ソフトウェア、又はこれらの組み合わせ（例えば、ファームウェア）によって実現される機能を表す機能ブロックであり得る。システム１３００は、協力して行為し得る電気コンポーネントの論理グループ１３０２を含む。例えば、論理グループ１３０２は、訪問先公衆陸上モバイルネットワーク（ＶＰＬＭＮ）１３０４に関連付けられた閉鎖加入者グループ（ＣＳＧ）リストサーバにアクセスする電気コンポーネントを含み得る。更に、論理グループ１３０２は、ＶＰＬＭＮ１３０６に関連付けられたＣＳＧリストサーバからＶＰＬＭＮ許可ＣＳＧリストを受信する電気コンポーネントを含み得る。更に、論理グループ１３０２は、ユーザ機器（ＵＥ）において許可ＣＳＧリストの一部分としてＶＰＬＭＮ許可ＣＳＧリストを記憶し、ＶＰＬＭＮの中にＵＥを供給する電気コンポーネントを含み得る。ここで、ＶＰＬＭＮ許可ＣＳＧリストは、ＶＰＬＭＮに関連付けられた１つ又は複数のエントリを備え、許可ＣＳＧリストは少なくとも１つのオペレータ及びＵＥ１３０８の制御のもとにある。論理グループ１３０２は、更に、ＶＰＬＭＮ１３１０に関連付けられたＣＳＧリストサーバのアイデンティティを決定する電気コンポーネントを任意的に含み得る。追加的に、論理グループ１３０２は、ＶＰＬＭＮ１３１２に関連付けられたＣＳＧリストサーバのアイデンティティの関数として許可ＣＳＧリストのエントリを更新するかどうかを選択する電気コンポーネントを任意的に含み得る。追加的に、システム１３００は、電気コンポーネント１３０４、１３０６、１３０８、１３１０、及び１３１２に関連付けられた機能を実行する命令を保持するメモリ１３１４を含み得る。メモリ１３１４の外部にあるように示されているが、電気コンポーネント１３０４、１３０６、１３０８、１３１０、及び１３１２の１つ又は複数は、メモリ１３１４の内部に存在し得ることを理解すべきである。
【０１２１】
図１４を参照すると、無線通信環境においてＣＳＧ加入データの供給を可能にするシステム１４００が示される。例えば、システム１４００は、ＣＳＧリストサーバの内部に少なくとも部分的に存在し得る。システム１４００は機能ブロックを含むように表されていることを了解すべきである。これらの機能ブロックは、プロセッサ、ソフトウェア、又はこれらの組み合わせ（例えば、ファームウェア）によって実現される機能を表す機能ブロックであり得る。システム１４００は、協力して行為し得る電気コンポーネントの論理グループ１４０２を含む。例えば、論理グループ１４０２は、異なる公衆陸上モバイルネットワーク（ＰＬＭＮ）１４０４に関連付けられたユーザ機器（ＵＥ）との信頼関係を確立する電気コンポーネントを含み得る。更に、論理グループ１４０２は、ＵＥによって記憶されＶＰＬＭＮに関連付けられた訪問先公衆陸上モバイルネットワーク（ＶＰＬＭＮ）許可閉鎖加入者グループ（ＣＳＧ）リストを更新する電気コンポーネントを含み得る。ＶＰＬＭＮ許可ＣＳＧリストは、少なくとも１つのオペレータ及びＵＥ１４０６の制御のもとにある許可ＣＳＧリストの一部分である。論理グループ１４０２は、更に、開放モバイル同盟デバイス管理（ＯＭＡ  ＤＭ）手順１４０８を使用して、ＶＰＬＭＮに関連付けられたＶＰＬＭＮ許可ＣＳＧリストをＵＥへ送信する電気コンポーネントを任意的に含み得る。更に、論理グループ１４０２は、ＶＰＬＭＮ１４１０について許可ＣＳＧリストのエントリを更新する電気コンポーネントを任意的に含み得る。追加的に、システム１４００は、電気コンポーネント１４０４、１４０６、１４０８、及び１４１０に関連付けられた機能を実行する命令を保持するメモリ１４１２を含み得る。メモリ１４１２の外部にあるように示されているが、電気コンポーネント１４０４、１４０６、１４０８、及び１４１０の１つ又は複数がメモリ１４１２の内部に存在し得ることを理解すべきである。
【０１２２】
図１５は、本明細書で説明される機能の様々な態様を実現するために利用され得るシステム１５００の図である。システム１５００は基地局１５０２（例えば、基地局５０２、．．．）を含み得る。基地局１５０２は、１つ又は複数の受信（Ｒｘ）アンテナ１５０６を介して１つ又は複数のＵＥ１５０４から信号を受信し、１つ又は複数の送信（Ｔｘ）アンテナ１５０８を介して１つ又は複数のＵＥ１５０４へ送信し得る。更に、基地局１５０２は、受信アンテナ１５０６から情報を受信する受信機１５１０を含み得る。１つの例によれば、受信機１５１０は、受信された情報を復調する復調器（ｄｅｍｏｄ）１５１２へ動作的に関連付けられ得る。復調された記号はプロセッサ１５１４によって解析され得る。プロセッサ１５１４はメモリ１５１６へ結合され得る。メモリ１５１６は、ＵＥ１５０４へ送信又はそこから受信されるデータ、及び／又は本明細書で記述される様々な行動及び機能の遂行に関連する他の適切なプロトコル、アルゴリズム、情報、などを記憶し得る。基地局１５０２は、アンテナ１５０８を介し送信機１５２０によって送信される信号を多重化し得る変調器１５１８を更に含み得うる。
【０１２３】
プロセッサ１５１４は、受信機１５１０によって受信された情報の解析に専念し、送信機１５２０によって送信される情報の生成に専念し、又は基地局１５０２の１つ又は複数のコンポーネントの制御に専念するプロセッサであり得る。他の例によれば、プロセッサ１５１４は、受信機１５１０によって受信された情報を解析し、送信機１５２０によって送信される情報を生成し、基地局１５０２の１つ又は複数のコンポーネントを制御し得る。更に、図示されてはいないが、基地局１５０２の１つ又は複数のコンポーネントは、プロセッサ１５１４又は複数のプロセッサ（図示せず）の一部分であり得ることが想定される。
【０１２４】
図１６は、本明細書で説明される機能の様々な態様を実現するために利用されるシステム１６００の図である。システム１６００はＵＥ１６０２（例えば、ＵＥ２０６、．．．）を含み得る。ＵＥ１６０２は、１つ又は複数のアンテナ１６０６を介して、１つ又は複数の基地局１６０４から信号を受信し及び／又は１つ又は複数の基地局１６０４へ送信し得る。更に、ＵＥ１６０２は、アンテナ１６０６から情報を受信する受信機１６０８を含み得る。１つの例によれば、受信機１６０８は、受信された情報を復調する復調器（ｄｅｍｏｄ）１６１０へ動作的に関連付けられ得る。復調された記号は、プロセッサ１６１２によって解析され得る。プロセッサ１６１２はメモリ１６１４へ結合され得る。メモリ１６１４は、基地局１６０４へ送信されるか、そこから受信されるデータ、及び／又は本明細書で記述される様々な行動及び機能の遂行に関連する他の適切なプロトコル、アルゴリズム、情報、などを記憶し得る。例えば、ＵＥ１６０２は、方法９００、方法１２００、及び／又は他の同様及び適当な方法を遂行するため、プロセッサ１６１２を採用し得る。ＵＥ１６０２は、アンテナ１６０６を介し送信機１６１８によって送信される信号を多重化する変調器１６１６を更に含み得る。
【０１２５】
プロセッサ１６１２は、受信機１６０８によって受信された情報の解析に専念する、送信機１６１８によって送信される情報の生成に専念する、又はＵＥ１６０２の１つ又は複数のコンポーネントの制御に専念する、プロセッサであり得る。他の例によれば、プロセッサ１６１２は、受信機１６０８によって受信された情報を解析し、送信機１６１８によって送信される情報を生成し、ＵＥ１６０２の１つ又は複数のコンポーネントを制御し得る。ＵＥ１６０２の１つ又は複数のコンポーネントは、例えば、アクセスコンポーネント２２４、リスト管理コンポーネント２２６、及び／又は選択コンポーネント５０６を含む。更に、図示されてはいないが、ＵＥ１６０２の１つ又は複数のコンポーネントは、プロセッサ１６１２又は複数のプロセッサ（図示せず）の一部分であり得ることが想定される。
【０１２６】
図１７は、例示的無線通信システム１７００を示す。無線通信システム１７００は、簡潔を目的として１つの基地局１７１０及び１つのＵＥ１７５０を表している。しかしながら、システム１７００は、１つを超える基地局及び／又は１つを超えるＵＥを含み得ることを了解すべきである。ここで、追加の基地局及び／又はＵＥは、この後で説明される例示的基地局１７１０及びＵＥ１７５０と実質的に同じか異なるものであり得る。加えて、基地局１７１０及び／又はＵＥ１７５０は、これらの間の無線通信を容易にするため、本明細書で説明されるシステム（図１〜図８及び図１３〜図１６）及び／又は方法（図９〜図１２）を採用し得ることを了解すべきである。
【０１２７】
基地局１７１０において、多数のデータストリームのトラフィックデータが、データソース１７１２から送信（ＴＸ）データプロセッサ１７１４へ提供される。１つの例によれば、各データストリームは、それぞれのアンテナを介して送信され得る。ＴＸデータプロセッサ１７１４は、符号化されたデータを提供するためトラフィック・データ・ストリームについて選択された特定の符号化スキームに基づいて、データストリームをフォーマット、符号化、及びインタリーブする。
【０１２８】
各データストリームの符号化されたデータは、直交周波数分割多重化（ＯＦＤＭ）手法を使用してパイロットデータと多重化され得る。追加的又は代替的に、パイロット記号は周波数分割多重化（ＦＤＭ）、時分割多重化（ＴＤＭ）、又は符号分割多重化（ＣＤＭ）され得る。パイロットデータは典型的には公知のデータパターンである。このデータパターンは、公知のやり方で処理され、通信路応答を推定するためＵＥ１７５０で使用され得る。各データストリームの多重化されたパイロット及び符号化されたデータは、変調記号を提供するためデータストリームについて選択された特定の変調スキーム（例えば、２相位相偏移キーイング（ＢＰＳＫ）、４相位相偏移キーイング（ＱＰＳＫ）、Ｍ位相偏移キーイング（Ｍ−ＰＳＫ）、Ｍ直交振幅変調（Ｍ−ＱＡＭ）、など）に基づいて変調（例えば、記号マップ）され得る。各データストリームのデータレート、符号化、及び変調は、プロセッサ１７３０によって遂行又は提供される命令によって決定され得る。
【０１２９】
データストリームの変調記号はＴＸ  ＭＩＭＯプロセッサ１７２０へ提供され得る。プロセッサ１７２０は変調記号を更に処理し得る（例えばＯＦＤＭの場合）。ＴＸ  ＭＩＭＯプロセッサ１７２０は、次いでＮＴの変調記号ストリームをＮＴの送信機（ＴＭＴＲ）１７２２ａ〜１７２２ｔへ提供する。様々な実施形態において、ＴＸ  ＭＩＭＯプロセッサ１７２０は、データストリームの記号、及び記号が送信されつつあるアンテナへ、ビームフォーミング加重を適用する。
【０１３０】
各送信機１７２２は、それぞれの記号ストリームを受信及び処理して１つ又は複数のアナログ信号を提供し、更にアナログ信号を調整して（例えば、増幅、フィルタ、及びアップコンバートして）、ＭＩＭＯ通信路上で送信されるのに適切な変調された信号を提供する。更に、送信機１７２２ａ〜１７２２ｔからのＮＴの変調された信号は、それぞれＮＴのアンテナ１７２４ａ〜１７２４ｔから送信される。
【０１３１】
ＵＥ１７５０において、変調され送信された信号は、ＮＲのアンテナ１７５２ａ〜１７５２ｒによって受信され、各アンテナ１７５２からの受信された信号は、それぞれの受信機（ＲＣＶＲ）１７５４ａ〜１７５４ｒへ提供される。各受信機１７５４は、それぞれの信号を調整し（例えば、フィルタ、増幅、及びダウンコンバートし）、調整された信号をディジタル化してサンプルを提供し、更にサンプルを処理して、対応する「受信された」記号ストリームを提供する。
【０１３２】
ＲＸデータプロセッサ１７６０は、特定の受信機処理手法に基づきＮＲの受信機１７５４からＮＲの受信された記号ストリームを受信及び処理し、ＮＴの「検波された」記号ストリームを提供し得る。ＲＸデータプロセッサ１７６０は、各々の検波された記号ストリームを復調、逆インタリーブ、及び復号して、データストリームのトラフィックデータを回復し得る。ＲＸデータプロセッサ１７６０による処理は、基地局１７１０でＴＸ  ＭＩＭＯプロセッサ１７２０及びＴＸデータプロセッサ１７１４によって遂行される処理と相補的である。
【０１３３】
プロセッサ１７７０は、上記で説明されたように、利用可能な技術のどれを利用するかを定期的に決定し得る。更に、プロセッサ１７７０は、行列索引（インデックス）部分及び階数（ランク）値部分を備える逆方向リンクメッセージを定式化し得る。
【０１３４】
逆方向リンクメッセージは、通信リンク及び／又は受信されたデータストリームに関して様々なタイプの情報を備え得る。逆方向リンクメッセージは、ＴＸデータプロセッサ１７３８によって処理され、変調器１７８０によって変調され、送信機１７５４ａ〜１７５４ｒによって調整され、基地局１７１０へ戻され得る。ＴＸデータプロセッサ１７３８は、データソース１７３６から多数のデータストリームのトラフィックデータを更に受信する。
【０１３５】
基地局１７１０において、ＵＥ１７５０からの変調された信号は、アンテナ１７２４によって受信され、受信機１７２２によって調整され、復調器１７４０によって復調され、ＲＸデータプロセッサ１７４２によって処理されて、ＵＥ１７５０によって送信された逆方向リンクメッセージが抽出される。更に、プロセッサ１７３０は、抽出されたメッセージを処理し、ビームフォーミング加重を決定するため、どのプリコーディング行列を使用すべきかを決定し得る。
【０１３６】
プロセッサ１７３０及び１７７０は、それぞれ基地局１７１０及びＵＥ１７５０における動作を指図（例えば、制御、調整、管理、など）し得る。それぞれのプロセッサ１７３０及び１７７０は、プログラムコード及びデータを記憶するメモリ１７３２及び１７７２を関連付けられ得る。プロセッサ１７３０及び１７７０は、それぞれアップリンク及びダウンリンクの周波数及びインパルス応答推定値を引き出す計算を更に遂行し得る。
【０１３７】
本明細書で説明された態様は、ハードウェア、ソフトウェア、ファームウェア、ミドルウェア、マイクロコード、又はこれらの任意の組み合わせで実現され得ることを理解すべきである。ハードウェアで実現される場合、処理ユニットは、１つ又は複数の特定用途集積回路（ＡＳＩＣ）、ディジタル・シグナル・プロセッサ（ＤＳＰ）、ディジタル信号処理デバイス（ＤＳＰＤ）、プログラム可能論理デバイス（ＰＬＤ）、フィールド・プログラマブル・ゲート・アレイ（ＦＰＧＡ）、プロセッサ、コントローラ、マイクロコントローラ、マイクロプロセッサ、本明細書で説明される機能を遂行するために設計された他の電子ユニット、又はこれらの組み合わせの内部で実現され得る。
【０１３８】
実施形態がソフトウェア、ファームウェア、ミドルウェア又はマイクロコード、プログラムコード又はコードセグメントで実現されるとき、それらは機械読み取り可能メディア、例えば記憶コンポーネントの中に記憶され得る。コードセグメントは、手順、機能、サブプログラム、プログラム、ルーチン、サブルーチン、モジュール、ソフトウェアパッケージ、クラス、又は命令、データ構造、又はプログラムステートメントの任意の組み合わせを表現し得る。コードセグメントは、情報、データ、引数、パラメータ、又はメモリ内容を通過させ及び／又は受け取ることによって、他のコードセグメント又はハードウェア回路へ結合され得る。情報、引数、パラメータ、データなどは、メモリ共有、メッセージパッシング、トークンパッシング、ネットワーク送信などを使用して通過させられ、転送され、又は送信され得る。
【０１３９】
ソフトウェアで実現される場合、本明細書で説明される手法は、本明細書で説明される機能を遂行するモジュール（例えば手順、機能、など）を用いて実現される。ソフトウェアコードは、メモリユニットの中に記憶され、プロセッサによって実行され得る。メモリユニットはプロセッサの内部又はプロセッサの外部で実現され得る。プロセッサの外部で実現される場合、メモリユニットは、当技術分野で公知の様々な手段を介してプロセッサへ交信的に結合され得る。
【０１４０】
これまでの説明は、１つ又は複数の実施形態の例を含む。もちろん、これまでに言及された態様を説明する目的で、コンポーネント又は方法の考えられる全ての組み合わせを説明することは不可能である。しかし当業者は、様々な態様の更なる多くの組み合わせ及び順列が可能であることを認識し得る。従って、説明された態様は、添付された特許請求の範囲の趣旨及び範囲の中に入る全ての変更、修正、及び変形を包含することが意図される。更に、「含む」の用語が詳細な説明又は特許請求の範囲で使用されている場合、この用語は、「備える」の用語と同じように包含的であることを意図される。というのは、「備える」は、採用されたとき、特許請求の範囲の中の転換語として解釈されるからである。
【図１】
2012531826.tif 000003
【図２】
2012531826.tif 000004
【図３】
2012531826.tif 000005
【図４】
2012531826.tif 000006
【図５】
2012531826.tif 000007
【図６】
2012531826.tif 000008
【図７】
2012531826.tif 000009
【図８】
2012531826.tif 000010
【図９】
2012531826.tif 000011
【図１０】
2012531826.tif 000012
【図１１】
2012531826.tif 000013
【図１２】
2012531826.tif 000014
【図１３】
2012531826.tif 000015
【図１４】
2012531826.tif 000016
【図１５】
2012531826.tif 000017
【図１６】
2012531826.tif 000018
【図１７】
2012531826.tif 000019
【国際調査報告】
2012531826.tif 000020
2012531826.tif 000021